(57)【要約】【課題】コンテンツに係る情報の訴求効果を向上させることができる。【解決手段】本願にかかる情報表示プログラムは、コンピュータに、第１コンテンツに含まれる動画像のうち、所定の条件を満たす領域を特定する特定手順と、前記第１コンテンツのうち前記特定手順により特定された領域に第２コンテンツを表示させる表示手順とを実行させることを特徴とする。この結果、例えば、情報表示プログラムを実行した端末装置１００は、動画像Ｃ１２のうち、領域Ａ０１にコンテンツＣ１３を配置して表示するので、コンテンツＣ１３に係る情報の訴求効果を向上させることができる。【選択図】図１
2017130768.tif 000002
【特許請求の範囲】
【請求項１】
コンピュータに、
第１コンテンツに含まれる動画像のうち、所定の条件を満たす領域を特定させる特定手順と、
前記第１コンテンツのうち前記特定手順により特定された領域に第２コンテンツを表示させる表示手順と
を実行させることを特徴とする情報表示プログラム。
【請求項２】
前記表示手順は、前記第１コンテンツのうち前記特定手順により特定された領域に第２コンテンツを重畳し、当該第２コンテンツの表示位置を当該領域の動きに追従させる
処理を前記コンピュータに実行させることを特徴とする請求項１に記載の情報表示プログラム。
【請求項３】
前記表示手順は、前記第１コンテンツのうち前記特定手順により特定された領域を透過させることで前記第１コンテンツの背面に配置した第２コンテンツの一部を表示し、当該領域の動きに合わせて前記第２コンテンツのうち表示される領域を変更させる
処理を前記コンピュータに実行させることを特徴とする請求項１または２に記載の情報表示プログラム。
【請求項４】
前記表示手順は、前記第１コンテンツを選択できない状態で表示させる
処理を前記コンピュータに実行させることを特徴とする請求項３に記載の情報表示プログラム。
【請求項５】
前記表示手順は、前記第１コンテンツの前面に、所定の領域が選択された際に所定のコンテンツへと遷移可能なコンテンツであって、背面に配置されたコンテンツを透過させる第３コンテンツを重ねて表示させる
処理を前記コンピュータに実行させることを特徴とする請求項４に記載の情報表示プログラム。
【請求項６】
前記表示手順は、前記第３コンテンツとして、前記特定手順により特定される領域と重なる領域以外の領域が選択された際に所定のコンテンツへと遷移可能なコンテンツを表示させる
処理を前記コンピュータに実行させることを特徴とする請求項５に記載の情報表示プログラム。
【請求項７】
前記特定手順は、前記所定の条件を満たす領域として、前記動画像から所定の色彩が付与された領域、または、所定の形状の被写体が含まれる領域の少なくともいずれか一方を特定させる
処理を前記コンピュータに実行させることを特徴とする請求項１〜６のうちいずれか１つに記載の情報表示プログラム。
【請求項８】
前記表示手順は、前記第１コンテンツとして、所定のウェブページまたは広告に関するコンテンツを表示させる
処理を前記コンピュータに実行させることを特徴とする請求項１〜７のうちいずれか１つに記載の情報表示プログラム。
【請求項９】
前記表示手順は、前記第２コンテンツとして、所定のウェブページまたは広告に関するコンテンツを表示させる
処理を前記コンピュータに実行させることを特徴とする請求項１〜８のうちいずれか１つに記載の情報表示プログラム。
【請求項１０】
前記表示手順は、前記特定手順により特定された領域の大きさに応じて、前記第２コンテンツとして表示するコンテンツを変更させる
処理を前記コンピュータに実行させることを特徴とする請求項１〜９のうちいずれか１つに記載の情報表示プログラム。
【請求項１１】
前記情報表示プログラムは、前記コンピュータとして、前記第１コンテンツと前記第２コンテンツとの配信を受付ける端末装置に、前記表示手順と前記特定手順とを実行させる
ことを特徴とする請求項１〜１０のうちいずれか１つに記載の情報表示プログラム。
【請求項１２】
コンピュータに、
第１コンテンツに含まれる動画像のうち、所定の領域を特定する特定手順と、
前記第１コンテンツのうち前記特定手順により特定された領域に第２コンテンツを重畳し、当該第２コンテンツの表示位置を当該領域の動きに追従させる表示手順と
を実行させることを特徴とする情報表示プログラム。
【請求項１３】
前記表示手順は、前記第１コンテンツのうち前記特定手順により特定された領域を透過させることで前記第１コンテンツの背面に配置した第３コンテンツの一部を表示し、当該領域の動きに合わせて前記第３コンテンツのうち表示される領域を変更させる
処理を前記コンピュータに実行させることを特徴とする請求項１２に記載の情報表示プログラム。
【請求項１４】
コンピュータに、
第１コンテンツに含まれる動画像のうち、所定の領域を特定する特定手順と、
前記第１コンテンツのうち前記特定手順により特定された領域を透過させることで前記第１コンテンツの背面に配置した第２コンテンツの一部を表示し、当該領域の動きに合わせて前記第２コンテンツのうち表示される領域を変更させる表示手順と
を実行させることを特徴とする情報表示プログラム。
【請求項１５】
前記表示手順は、前記第１コンテンツのうち前記特定手順により特定された領域に第３コンテンツを重畳し、当該第３コンテンツの表示位置を当該領域の動きに追従させる
処理を前記コンピュータに実行させることを特徴とする請求項１４に記載の情報表示プログラム。
【請求項１６】
第１コンテンツに含まれる動画像のうち、所定の条件を満たす領域を特定する特定部と、
前記第１コンテンツのうち前記特定部により特定された領域に第２コンテンツを表示させる表示部と
を有することを特徴とする情報表示装置。
【請求項１７】
第１コンテンツに含まれる動画像のうち、所定の領域を特定する特定部と、
前記第１コンテンツのうち前記特定部により特定された領域に第２コンテンツを重畳し、当該第２コンテンツの表示位置を当該領域の動きに追従させる表示部と
を有することを特徴とする情報表示装置。
【請求項１８】
第１コンテンツに含まれる動画像のうち、所定の領域を特定する特定部と、
前記第１コンテンツのうち前記特定部により特定された領域を透過させることで前記第１コンテンツの背面に配置した第２コンテンツの一部を表示し、当該領域の動きに合わせて前記第２コンテンツのうち表示される領域を変更させる表示部と
を有することを特徴とする情報表示装置。
【請求項１９】
情報表示装置が実行する情報表示方法であって、
第１コンテンツに含まれる動画像のうち、所定の条件を満たす領域を特定する特定工程と、
前記第１コンテンツのうち前記特定工程により特定された領域に第２コンテンツを表示させる表示工程と
を含むことを特徴とする情報表示方法。
【請求項２０】
情報表示装置が実行する情報表示方法であって、
第１コンテンツに含まれる動画像のうち、所定の領域を特定する特定工程と、
前記第１コンテンツのうち前記特定工程により特定された領域に第２コンテンツを重畳し、当該第２コンテンツの表示位置を当該領域の動きに追従させる表示工程と
を含むことを特徴とする情報表示方法。
【請求項２１】
情報表示装置が実行する情報表示方法であって、
第１コンテンツに含まれる動画像のうち、所定の領域を特定する特定工程と、
前記第１コンテンツのうち前記特定工程により特定された領域を透過させることで前記第１コンテンツの背面に配置した第２コンテンツの一部を表示し、当該領域の動きに合わせて前記第２コンテンツのうち表示される領域を変更させる表示工程と
を含むことを特徴とする情報表示方法。
【請求項２２】
第１コンテンツを表示する端末装置に制御情報を配信する配信部を備え、
前記制御情報は、
前記第１コンテンツに含まれる動画像のうち、所定の条件を満たす領域を特定する特定手順と、
前記第１コンテンツのうち前記特定手順により特定された領域に第２コンテンツを表示させる表示手順と
を前記端末装置に実行させることを特徴とする配信装置。
【請求項２３】
第１コンテンツを表示する端末装置に制御情報を配信する配信部を備え、
前記制御情報は、
前記第１コンテンツに含まれる動画像のうち、所定の領域を特定する特定手順と、
前記第１コンテンツのうち前記特定手順により特定された領域に第２コンテンツを重畳し、当該第２コンテンツの表示位置を当該領域の動きに追従させる表示手順と
を前記端末装置に実行させることを特徴とする配信装置。
【請求項２４】
第１コンテンツを表示する端末装置に制御情報を配信する配信部を備え、
前記制御情報は、
第１コンテンツに含まれる動画像のうち、所定の領域を特定する特定手順と、
前記第１コンテンツのうち前記特定手順により特定された領域を透過させることで前記第１コンテンツの背面に配置した第２コンテンツの一部を表示し、当該領域の動きに合わせて前記第２コンテンツのうち表示される領域を変更させる表示手順と
を前記端末装置に実行させることを特徴とする配信装置。
【発明の詳細な説明】
【技術分野】
【０００１】
本発明は、情報表示プログラム、情報表示装置、情報表示方法および配信装置に関する。
【背景技術】
【０００２】
近年、インターネットを介した情報配信が盛んに行われている。このような情報配信技術の一例として、企業や商品等の広告に関する静止画像、動画像、テキスト等のユーザに閲覧させたいコンテンツを配信し、利用者がウェブページ等の情報コンテンツを閲覧する際に、ユーザに閲覧させたいコンテンツと情報コンテンツとを重ねて表示する技術が提案されている。
【先行技術文献】
【特許文献】
【０００３】
【特許文献１】特開２００３−０２２０４２号公報
【特許文献２】特開２０１２−１３７８０５号公報
【発明の概要】
【発明が解決しようとする課題】
【０００４】
しかしながら、上記の従来技術では、ユーザに閲覧させたいコンテンツに係る情報の訴求効果を向上させることができない場合がある。例えば、上記の従来技術では、ユーザに閲覧させたいコンテンツを情報コンテンツに重ねて表示するに過ぎず、コンテンツに対するユーザの関心を引き起こすことができない。
【０００５】
本願は、上記に鑑みてなされたものであって、コンテンツに係る情報の訴求効果を向上させる情報表示プログラム、情報表示装置、情報表示方法および配信装置を提供することを目的とする。
【課題を解決するための手段】
【０００６】
本願にかかる情報表示プログラムは、コンピュータに、第１コンテンツに含まれる動画像のうち、所定の条件を満たす領域を特定する特定手順と、前記第１コンテンツのうち前記特定手順により特定された領域に第２コンテンツを表示させる表示手順とを実行させることを特徴とする。
【発明の効果】
【０００７】
実施形態の一態様によれば、コンテンツに係る情報の訴求効果を向上させる情報表示プログラム、情報表示装置、情報表示方法および配信装置を提供することができる。
【図面の簡単な説明】
【０００８】
【図１】図１は、実施形態に係る端末装置が実行する表示処理の一例を示す図である。
【図２】図２は、実施形態に係る端末装置が実行する重畳表示処理の一例を示す図である。
【図３】図３は、実施形態に係る配信システムの構成例を示す図である。
【図４】図４は、実施形態に係る広告配信サーバの構成例を示す図である。
【図５】図５は、実施形態に係る広告データベースに格納された情報の一例を示す図である。
【図６】図６は、実施形態に係るコンテンツ配信サーバの構成例を示す図である。
【図７】図７は、実施形態に係る端末装置の構成例を示す図である。
【図８】図８は、実施形態に係る表示条件の一例を説明する図である。
【図９】図９は、実施形態に係る端末装置がコンテンツを表示する処理の一例を説明する図である。
【図１０】図１０は、実施形態に係る端末装置が実行する表示処理のバリエーションを説明する図である。
【図１１】図１１は、実施形態に係る端末装置が透過コンテンツを表示する処理の一例について説明する図である。
【図１２】図１２は、実施形態に係る端末装置が実行する表示処理の流れの一例を示すフローチャートである。
【図１３】図１３は、ハードウェア構成の一例を示す図である。
【発明を実施するための形態】
【０００９】
以下に、本願にかかる情報表示プログラム、情報表示装置、情報表示方法および配信装置を実施するための形態（以下、「実施形態」と記載する。）について図面を参照しつつ詳細に説明する。なお、この実施形態により本願にかかる情報表示プログラム、情報表示装置、情報表示方法および配信装置が限定されるものではない。また、以下の各実施形態において同一の部位には同一の符号を付し、重複する説明は省略される。
【００１０】
〔１．端末装置の一例〕
まず、図１を用いて、情報表示プログラムを実行する情報表示装置の一例である端末装置１００が実行する処理の一例について説明する。図１は、実施形態に係る端末装置が実行する表示処理の一例を示す図である。図１では、端末装置１００によって、ウェブページＣ１１、動画像Ｃ１２、およびコンテンツＣ１３とが画面上に表示される例について説明する。なお、以下の説明では、ウェブページＣ１１、動画像Ｃ１２、およびコンテンツＣ１３をウェブコンテンツＣ１０と総称する場合がある。
【００１１】
また、以下の説明では、ウェブコンテンツＣ１０を画面に表示する際に基準となる位置であり、ウェブコンテンツＣ１０を表示する際に、画面上の最も上側に配置される端をウェブコンテンツＣ１０の上端と記載する。また、ウェブコンテンツＣ１０を画面に表示する際に生じる端のうち、画面上の最も下側に配置される端をウェブコンテンツＣ１０の下端と記載する。また、ウェブコンテンツＣ１０を画面に表示する際に生じる端のうち、上端および下端に対して左側の端をウェブコンテンツＣ１０の左端と記載し、上端および下端に対して右側の端をウェブコンテンツＣ１０の右端と記載する。
【００１２】
また、以下の説明では、画面のうち、ウェブコンテンツＣ１０を表示する際の基準となる端であり、ウェブコンテンツＣ１０の上側が表示される方向の端を画面の上端と記載し、ウェブコンテンツＣ１０の下側が表示される方向の端を画面の下端と記載する。また、端末装置１００が有する画面上において、ウェブコンテンツＣ１０の上端が表示される方向を画面上方向と記載し、画面上においてウェブコンテンツＣ１０の下端が表示される方向を画面下方向と記載する。また、端末装置１００が有する画面上において、ウェブコンテンツＣ１０の左端が表示される方向を画面左方向と記載し、画面上においてウェブコンテンツＣ１０の右端が表示される方向を画面右方向と記載する。
【００１３】
図１に示した端末装置１００は、スマートフォンやタブレット等のスマートデバイスであり、３Ｇ（Generation）やＬＴＥ（Long  Term  Evolution）等の無線通信網を介して任意のサーバ装置と通信を行うことができる携帯端末装置である。また、端末装置１００は、液晶ディスプレイ等の画面を有する。なお、端末装置１００には、タッチパネルが採用されているものとする。すなわち、端末装置１００の利用者は、指やスタイラスで画面をタッチすることにより各種操作を行う。
【００１４】
ウェブコンテンツＣ１０は、インターネット等のネットワークを介して、端末装置１００に配信された各種のコンテンツである。例えば、ウェブページＣ１１は、ニュース等のコンテンツが配置されたウェブページである。なお、ウェブページＣ１１は、他のコンテンツが配置されたウェブページであってもよく、ニュース、天気予報、受信メールのインデックスや内容、フォトビュワー、その他各種のコンテンツが配置された、いわゆるポータルサイトであってもよい。例えば、ウェブページＣ１１は、ＨＴＭＬ（Hyper  Text  Markup  Language）やＸＭＬ（Extensible  Markup  Language）等で記述されたウェブページである。
【００１５】
また、ウェブページＣ１１は、ニュース、天気予報、受信メールのインデックスや内容、フォトビュワー、その他各種のコンテンツが独立したタイル状に配置されたコンテンツであり、タイル状に配置されたコンテンツごとに操作や更新等を行うことができるコンテンツであってもよい。また、ウェブページＣ１１には、広告に関連するコンテンツが配置されたタイルが随時挿入されてもよい。なお、ウェブページＣ１１に配置される各タイルの大きさ、配置位置、配置されるタイルの数は、タイルごとに自動で変更されてもよく、利用者の操作に応じて変更されてもよい。また、ウェブページＣ１１には、検索キーワードを入力するための入力欄や、他のウェブページへのリンク等が含まれていてもよい。
【００１６】
ここで、ウェブページＣ１１は、スマートデバイス用に最適化されたウェブページであり、横方向の表示サイズが、端末装置１００が有する画面の横方向の表示サイズと同じウェブページであるものとする。また、ウェブページＣ１１は、縦方向の表示サイズが、端末装置１００が有する出力部１２０の縦方向の表示サイズ以上となるウェブページであるものとする。
【００１７】
動画像Ｃ１２は、ウェブページＣ１１とともに表示されるコンテンツであり、動画像を含むコンテンツである。例えば、動画像Ｃ１２は、インターネットを介して配信されるイベントやスポーツ中継等のライブ映像や録画映像、動画配信サービスを介して配信される映画や番組等の動画像等である。なお、動画像Ｃ１２が配信される際のデータ形式は、任意のデータ形式が採用可能である。
【００１８】
コンテンツＣ１３は、静止画像等の画像を含むコンテンツであり、例えば、広告に関するコンテンツ（以下、広告コンテンツと記載する。）である。例えば、コンテンツＣ１３は、広告に関する内容のテキストや画像等を含むコンテンツであり、図１に示す例では、複数のロゴが配置された画像を含むコンテンツである。なお、コンテンツＣ１３は、動画像を含むコンテンツであってもよい。
【００１９】
なお、ウェブコンテンツＣ１０は、ＣＳＳ（Cascading  Style  Sheets）、Ｊａｖａ  Ｓｃｒｉｐｔ（登録商標）、ＨＴＭＬ５、その他の動的なコンテンツを記述可能なスクリプト等により、配置位置や表示位置が設定される結果、利用者の操作等により表示態様が変化するコンテンツであってもよい。例えば、ウェブコンテンツＣ１０は、利用者の操作により表示、消去、拡大、縮小、移動、回転、再生、一時停止等の制御が行われる画像、文字、図形、記号、動画像等を含みうるコンテンツである。なお、ウェブコンテンツＣ１０は、ＨＴＭＬやＸＭＬ等で記述されたウェブページであってもよい。
【００２０】
ここで、広告に関するコンテンツとは、営利若しくは非営利の広告だけではなく、ボランティアの募集、公共広告、公共に対する通知、ウェブページＣ１１に関する情報の一部、その他任意のコンテンツであるものとする。すなわち、コンテンツＣ１３は、いわゆる広告関連の情報を含むコンテンツのみならず、利用者に興味を抱かせ、ウェブコンテンツＣ１０に含まれる情報、または、コンテンツＣ１３と関連するコンテンツ（例えば、ランディングページや、動画像Ｃ１２等）に含まれる情報を広く報知するものであれば、画像、動画像、文字、図形、記号、ハイパーリンク、その他任意のコンテンツを適用可能である。すなわち、利用者に対してウェブページＣ１１よりも興味を生じさせようとするコンテンツであれば、任意のコンテンツをコンテンツＣ１３として適用可能である。
【００２１】
端末装置１００は、ウェブページＣ１１と動画像Ｃ１２との配信を受けると、広告に関するコンテンツの配信を行う広告配信サーバ２０に配信要求を送信する。そして、端末装置１００は、広告配信サーバ２０から広告に関するコンテンツとして、コンテンツＣ１３の配信を受けると、ウェブページＣ１１と動画像Ｃ１２とを表示するとともに、後述する表示処理を実行することで、コンテンツＣ１３またはコンテンツＣ１３の一部を表示する。
【００２２】
〔２．端末装置１００が実行する表示処理〕
ここで、端末装置１００は、広告に対するユーザの関心を引き起こすため、以下の処理を行う。例えば、端末装置１００は、動画像Ｃ１２のうち、所定の条件を満たす領域を特定する特定処理を実行する。そして、端末装置１００は、動画像Ｃ１２のうち、特定された領域（以下、特定領域と記載する場合がある。）にコンテンツＣ１３を配置して表示する表示処理を実行する。
【００２３】
例えば、端末装置１００は、画面上に表示される動画像Ｃ１２のうち、所定の形状や所定の色彩が付された領域を特定領域とする。そして、端末装置１００は、表示処理の一例として、特定領域をそのまま表示せずに、背面に配置されたコンテンツを透過させる透過状態に設定することで、動画像Ｃ１２の背面に配置されたコンテンツＣ１３の一部を特定領域に表示させ、特定領域の動きに合わせてコンテンツＣ１３のうち表示する領域を変更する透過表示処理を実行する。
【００２４】
また、他の例では、端末装置１００は、特定領域にコンテンツＣ１３の一部を重畳して表示することで、特定領域の動きに追従するように、コンテンツＣ１３を重畳する位置を変更する重畳表示処理を実行する。
【００２５】
〔２−１．特定処理〕
まず、端末装置１００が実行する特定処理について説明する。例えば、端末装置１００は、動画像Ｃ１２の全データ、または、ストリーミング配信を受け付ける。このような場合、端末装置１００は、動画像Ｃ１２として画面上に表示される画像の中から、所定の条件を満たす領域を特定する。例えば、端末装置１００は、後述する広告主等によってあらかじめ指定された色彩が付された領域を動画像Ｃ１２の一部として表示される画像の中から特定する。
【００２６】
また、他の例では、端末装置１００は、ＲＧＢ（Red  Green  Blue）やグレースケール等といった画像内に含まれる各画素の色彩の差分に基づいて、画像内に含まれる被写体の形状を特定する。そして、端末装置１００は、画像内から、所定の条件を満たす形状の被写体が含まれる領域を特定する。例えば、端末装置１００は、円形の領域、多角形の領域、人物の全体または一部等、あらかじめ指定された形状の被写体が含まれる領域を特定する。なお、形状が特定される被写体は、現実の被写体である必要はなく、例えば、ＣＧ（Computer  Graphics）等の仮想的な被写体であってもよい。
【００２７】
ここで、所定の条件を満たす形状とは、厳格に指定された形状である必要はなく、画像ごとに変化しうる形状であってもよい。具体的な例を説明すると、端末装置１００は、円形の形状の被写体が動くことにより、画像ごとにその被写体が含まれる領域の形状が変化したとしても、その被写体の形状が円形の形状であると推定される場合には、その被写体が含まれる領域を特定領域としてもよい。
【００２８】
また、例えば、端末装置１００は、人物の形状と推定されうる形状が含まれるのであれば、その被写体の形状が画像ごとに変化している場合であっても、その被写体が含まれる領域を特定領域としてもよい。また、例えば、端末装置１００は、犬や猫等の動物の形状と推定される形状が含まれる領域を特定してもよい。すなわち、端末装置１００は、所定の被写体が含まれると推定される領域を特定領域として特定するのであれば、任意の条件を用いて、特定領域を特定してよい。このような特定処理の結果、端末装置１００は、動画像Ｃ１２の再生と共に、位置や形状が変化する特定領域を特定することとなる。
【００２９】
〔２−２．透過表示処理〕
続いて、端末装置１００が実行する表示処理のうち透過表示処理の一例について説明する。例えば、端末装置１００は、ウェブページＣ１１と動画像Ｃ１２とを並べて配置するとともに、動画像Ｃ１２の背面にコンテンツＣ１３を配置する。そして、端末装置１００は、ウェブページＣ１１、動画像Ｃ１２およびコンテンツＣ１３を画面上に表示する。
【００３０】
また、端末装置１００は、動画像Ｃ１２の再生を開始するとともに、特定処理によって特定された特定領域を透過状態にすることで、コンテンツＣ１３のうち特定領域の背面に配置された領域を、動画像Ｃ１２として表示される画像の一部として表示する。すなわち、端末装置１００は、動画像Ｃ１２のうち特定された特定領域に、動画像Ｃ１２の背面に配置されたコンテンツＣ１３の一部を透過させて表示する。この結果、端末装置１００は、動画像Ｃ１２の再生に伴う特定領域の変化に合わせて、コンテンツＣ１３のうち表示される領域を変化させる。
【００３１】
〔２−３．透過表示処理の一例〕
以下、図１を用いて、端末装置１００が実行する透過表示処理の一例を説明する。なお、以下の説明では、ウェブページＣ１１および動画像Ｃ１２とともに、広告に関するロゴ画像を含むコンテンツＣ１３を表示する透過表示処理の一例を、第１状態〜第６状態に分けて説明する。また、図１に示す例では、動画像Ｃ１２の表示サイズとコンテンツＣ１３の表示サイズとが同じである例について記載したが、実施形態は、これに限定されるものではない。また、以下の説明では、端末装置１００は、特定領域として、円形の被写体が含まれる領域を動画像Ｃ１２として表示される各画像から特定するものとする。
【００３２】
まず、端末装置１００は、ウェブページＣ１１と、動画像Ｃ１２と、コンテンツＣ１３との配信を受付ける。かかる場合、端末装置１００は、動画像Ｃ１２の上端が画面の上端と接するように動画像Ｃ１２を配置し、ウェブページＣ１１の上端が動画像Ｃ１２の下端と接するように、ウェブページＣ１１を配置する。また、端末装置１００は、動画像Ｃ１２の背面にコンテンツＣ１３を配置する。そして、端末装置１００は、ウェブページＣ１１と、動画像Ｃ１２と、コンテンツＣ１３とを表示する。この結果、端末装置１００は、第１状態に示すように、動画像Ｃ１２とウェブページＣ１１とを表示する。
【００３３】
続いて、端末装置１００は、動画像Ｃ１２の再生を開始する。より具体的には、端末装置１００は、ネットワークを介してストリーミング配信された動画像Ｃ１２のデータから、動画像Ｃ１２として表示される複数の画像を生成し、生成した画像を所定の時間間隔で表示することで、動画像Ｃ１２を再生する。
【００３４】
ここで、端末装置１００は、動画像Ｃ１２として表示する画像ごとに、円形の被写体が含まれる領域を特定領域として特定する。そして、例えば、端末装置１００は、第２状態に示すように、動画像Ｃ１２として表示される画像に円形の被写体が撮像された領域Ａ０１が含まれる場合は、領域Ａ０１を特定領域として特定し、領域Ａ０１を透過状態にして背面に配置されたコンテンツＣ１３を表示する。
【００３５】
この結果、端末装置１００は、第３状態に示すように、動画像Ｃ１２のうち領域Ａ０１に、動画像Ｃ１２の背面に配置されたコンテンツＣ１３を透過させ、動画像Ｃ１２とコンテンツＣ１３とを表示することとなる。より具体的には、端末装置１００は、動画像Ｃ１２のうち領域Ａ０１に含まれる範囲に、コンテンツＣ１３のうち領域Ａ０１と重なる範囲を当てはめて表示することとなる。
【００３６】
また、端末装置１００は、動画像Ｃ１２として表示する画像ごとに特定領域を特定し、特定された特定領域にコンテンツＣ１３のうち特定領域と重なる範囲を当てはめて表示する。この結果、例えば、端末装置１００は、動画像Ｃ１２のうち領域Ａ０１が含まれる位置の移動に合わせて、コンテンツＣ１３を当てはめて表示する位置を移動させる。
【００３７】
例えば、端末装置１００は、第４状態に示すように、円形の被写体が人物の前面に移動した場合は、人物の一部と円形の被写体が撮像された範囲を透過させ、背面に配置されたコンテンツＣ１３を表示する。また、端末装置１００は、第５状態に示すように、円形の被写体が画面右側に移動した場合は、円形の被写体が撮像された範囲を透過させ、背面に配置されたコンテンツＣ１３を表示する。
【００３８】
ここで、第６状態に示す例では、円形の被写体が人物の背面に移動することで、その被写体の一部が人物により隠された画像が表示される。このような画像においては、公知の画像解析技術により、円形の被写体が撮像された範囲と人物が撮像された範囲とをそれぞれ特定し、特定した範囲の差分を特定することで、円形の被写体のみが含まれる範囲を特定することが可能である。そこで、端末装置１００は、このような技術を用いて、円形の被写体のみが含まれる領域を透過させることで、第６状態に示すように、人物の背面にコンテンツＣ１３の一部が表示されるといった態様で、動画像Ｃ１２を再生することができる。
【００３９】
このように、端末装置１００は、動画像Ｃ１２のうち特定領域を透過させ、動画像Ｃ１２の背面に配置されたコンテンツＣ１３を動画像Ｃ１２の一部として表示する。この結果、端末装置１００は、例えば、ライブストリーミング等により配信された動画像Ｃ１２の一部を、広告に関するコンテンツＣ１３に置き換えて再生することができる。
【００４０】
例えば、端末装置１００は、動画像Ｃ１２のうち、サッカーのフィールドや野球のバックネット等の所定の色彩が付された領域や、所定の人物が撮像されている領域以外の領域を、動画像Ｃ１２の背面に配置されたコンテンツＣ１３に置き換えて再生する。この結果、端末装置１００は、動画像Ｃ１２を閲覧する利用者に対し、動画像Ｃ１２の再生を継続させたまま、コンテンツＣ１３を表示することができる。
【００４１】
〔２−４．重畳表示処理〕
続いて、図２を用いて、端末装置１００が実行する表示処理のうち重畳表示処理の一例について説明する。図２は、実施形態に係る端末装置が実行する重畳表示処理の一例を示す図である。例えば、端末装置１００は、ウェブページＣ１１と動画像Ｃ１２との配信を受付けるとともに、コンテンツＣ１３と同様に広告に関する画像を含むコンテンツＣ１４の配信を受付ける。
【００４２】
このような場合、端末装置１００は、ウェブページＣ１１と動画像Ｃ１２とを並べて配置し、ウェブページＣ１１、動画像Ｃ１２を画面上に表示するとともに、動画像Ｃ１２の再生を開始する。そして、端末装置１００は、動画像Ｃ１２として表示される画像のうち、特定処理によって特定された特定領域にコンテンツＣ１４を重畳して表示し、特定領域の移動と共にコンテンツＣ１４を表示する位置を変更する。
【００４３】
例えば、端末装置１００は、動画像Ｃ１２として表示される各画像ごとに特定された特定領域に、コンテンツＣ１４を重ねて表示する。この結果、端末装置１００は、動画像Ｃ１２の再生に伴なう特定領域の変化に従って、コンテンツＣ１４を表示する位置を変更する。すなわち、端末装置１００は、所定の条件を満たす被写体の動きに合わせて、コンテンツＣ１４を重ねて表示する位置を変更する。
【００４４】
〔２−５．重畳表示処理の一例〕
続いて、図２を用いて、端末装置１００が実行する表示処理のうち重畳表示処理の一例について説明する。なお、以下の説明では、ウェブページＣ１１および動画像Ｃ１２とともに、広告に関するロゴ画像を含むコンテンツＣ１４を表示する重畳表示処理の一例を、第１状態〜第６状態に分けて説明する。また、以下の説明では、端末装置１００は、特定領域として、円形の被写体が含まれる領域を動画像Ｃ１２として表示される各画像から特定するものとする。
【００４５】
まず、端末装置１００は、ウェブページＣ１１と、動画像Ｃ１２と、コンテンツＣ１４との配信を受付ける。かかる場合、端末装置１００は、第１状態に示すように、動画像Ｃ１２とウェブページＣ１１とを表示するとともに、動画像Ｃ１２の再生を開始する。また、例えば、端末装置１００は、第２状態に示すように、動画像Ｃ１２として表示される画像に円形の被写体が撮像された領域Ａ０１が含まれる場合は、領域Ａ０１を特定領域として特定する。そして、端末装置１００は、特定した領域Ａ０１にコンテンツＣ１４を重畳して表示する。より具体的には、端末装置１００は、コンテンツＣ１４を領域Ａ０１と同相の形状にトリミングし、トリミングした画像の表示サイズを領域Ａ０１の表示サイズと同じ大きさに拡縮させた上で、トリミングした画像を領域Ａ０１に重ねて表示する。
【００４６】
この結果、端末装置１００は、第３状態に示すように、動画像Ｃ１２のうち領域Ａ０１に、コンテンツＣ１４を重ねた画像を動画像Ｃ１２として表示することとなる。また、端末装置１００は、動画像Ｃ１２として表示する画像ごとに特定領域を特定し、特定された特定領域にコンテンツＣ１４を重ねて表示する。このため、例えば、端末装置１００は、領域Ａ０１が含まれる位置の移動に従うように、すなわち、被写体の動きに追従するように、コンテンツＣ１４を重ねて表示する位置を移動させる。
【００４７】
例えば、端末装置１００は、第４状態に示すように、円形の被写体が人物の前面に移動した場合は、円形の被写体および人物が撮像された範囲にコンテンツＣ１４を重ねて表示し、第５状態に示すように、円形の被写体が画面右側に移動した場合は、被写体の移動に合わせてコンテンツＣ１４を重ねて表示する位置を移動させる。
【００４８】
また、端末装置１００は、第６状態に示すように、円形の被写体が人物の背面に移動した場合には、被写体のみが撮像されている領域を領域Ａ０１として特定することとなる。この結果、端末装置１００は、第６状態に示すように、動画像Ｃ１２として表示される画像のうち、円形の被写体のみが含まれる領域にコンテンツＣ１４を重ねて表示することで、あたかも人物の背面にコンテンツＣ１４の一部が表示されるといった態様で、動画像Ｃ１２を再生することができる。
【００４９】
〔２−６．表示処理の適用対象について〕
図１および図２に示す例では、端末装置１００は、ライブストリーミング等の動画像Ｃ１２のうち特定領域を透過させることでコンテンツＣ１３を表示、或いは、特定領域にコンテンツＣ１４を重畳して表示した。しかしながら、実施形態は、これに限定されるものではない。例えば、端末装置１００は、所定のウェブページまたは広告に関する動画像について、上述した特定処理や表示処理を実行してもよい。
【００５０】
例えば、端末装置１００は、動画像Ｃ１２として、所定の広告に関する動画像を再生するとともに、特定領域に所定のウェブページや広告に関するコンテンツＣ１３、Ｃ１４を表示してもよい。より具体的な例を説明すると、端末装置１００は、ポータルサイト等のウェブページをコンテンツＣ１３として表示するとともに、広告に関する動画像Ｃ１２をコンテンツＣ１３に重ねて表示する。そして、端末装置１００は、動画像Ｃ１２のうち、所定の条件を満たす領域を透過状態にすることで、動画像Ｃ１２の背面に配置されたコンテンツＣ１３の一部を動画像Ｃ１２とともに表示してもよい。また、端末装置１００は、広告に関する動画像Ｃ１２を再生するとともに、動画像Ｃ１２のうち所定の条件を満たす領域に、広告に関する画像を含むコンテンツを重畳して表示してもよい。
【００５１】
また、端末装置１００は、上述した透過表示処理と重畳表示処理とを同時に行ってもよい。例えば、端末装置１００は、動画像Ｃ１２から、透過表示処理の対象とする特定領域と重畳表示処理の対象とする特定領域とをそれぞれ個別に特定する。例えば、端末装置１００は、動画像Ｃ１２として表示される画像のうち、所定の色彩が付された領域を透過表示処理の対象とする特定領域として特定し、所定の形状の被写体を含む領域を重畳表示処理の対象とする特定領域として特定する。
【００５２】
そして、例えば、端末装置１００は、透過表示領域の対象として特定した特定領域を透過状態にすることで、動画像Ｃ１２の背面に配置されたコンテンツＣ１３の一部を表示するとともに、重畳表示処理の対象として特定した特定領域に、コンテンツＣ１４を重畳し、動画像Ｃ１２とともにコンテンツＣ１３、Ｃ１４を表示してもよい。すなわち、端末装置１００は、任意の態様で、上述した透過表示処理と重畳表示処理とを組み合わせて実行してもよい。
【００５３】
〔２−７．コンテンツの切替について〕
ここで、特定処理により特定した特定領域の大きさによっては、コンテンツＣ１３、Ｃ１４を想定した態様で表示することができない場合も考えられる。そこで、端末装置１００は、特定領域の大きさに応じて、特定領域に表示するコンテンツＣ１３、Ｃ１４を切替えてもよい。
【００５４】
例えば、端末装置１００は、特定領域の広さが所定の閾値よりも広い場合には、特定領域を透過させるとともにコンテンツＣ１３を表示する。一方、端末装置１００は、特定領域の広さが所定の閾値よりも狭い場合には、特定領域を透過させるとともに、コンテンツＣ１３とは異なるコンテンツＣ１４を特定領域に表示してもよい。また、例えば、端末装置１００は、特定領域の広さが所定の閾値よりも狭い場合には、特定領域を透過させるのではなく、特定領域にコンテンツＣ１４を重畳して表示してもよい。すなわち、端末装置１００は、表示するコンテンツや、重畳表示処理と透過表示処理とのいずれを実行するかを特定領域の広さに応じて決定してもよい。
【００５５】
〔２−８．特定処理について〕
なお、端末装置１００は、動画像Ｃ１２として表示される画像のうち所定の条件を満たす領域を特定領域として特定した。ここで、特定領域の条件としては、任意の条件が設定可能である。例えば、端末装置１００は、単純に、動画像Ｃ１２として表示される画像のうち、座標などであらかじめ指定された領域を特定領域としてもよい。例えば、端末装置１００は、動画像Ｃ１２として表示される動画像のうち、画面下半分の領域を特定領域としてもよい。
【００５６】
また、端末装置１００は、動画像Ｃ１２として表示される画像ごとに異なる条件を満たす領域を特定領域として特定してもよい。例えば、端末装置１００は、動画像Ｃ１２の再生を開始してから所定の時間が経過するまでは、円形の被写体が含まれる領域を特定し、所定の時間が経過した後は、四角形の被写体が含まれる領域を特定してもよい。また、端末装置１００は、動画像Ｃ１２の再生を開始してから所定の時間が経過するまでは、赤色が付された領域を特定し、所定の時間が経過した後は、青色が付された領域を特定してもよい。また、端末装置１００は、動画像Ｃ１２の再生を開始してから所定の時間が経過するまでは、所定の形状の被写体が含まれる領域を特定し、所定の時間が経過した後は、所定の色彩が含まれる領域を特定してもよい。
【００５７】
また、端末装置１００は、動画像Ｃ１２として表示される画像のうち、所定の条件を満たす領域以外の領域を特定領域としてもよい。例えば、端末装置１００は、動画像Ｃ１２として表示される画像のうち、所定の色彩が付されていない領域を特定領域としてもよく、所定の形状の被写体が含まれていない領域を特定領域としてもよい。
【００５８】
なお、端末装置１００は、動画像Ｃ１２として画面上に表示される各画像に対して、上述した特定処理を実行し、所定の条件を満たす領域を特定領域として特定する。すなわち、端末装置１００は、動画像Ｃ１２として表示される画像ごとに特定領域を特定することとなる。なお、端末装置１００は、動画像Ｃ１２として表示される画像のうち、所定の再生期間に表示される画像についてのみ、上述した特定処理を実行してもよい。例えば、端末装置１００は、再生位置が動画像Ｃ１２の先頭から１分目から２分目の範囲に含まれる画像についてのみ、上述した特定処理を実行してもよい。
【００５９】
〔２−９．ランディングページについて〕
ここで、端末装置１００は、利用者が選択した際に所定のランディングページに遷移可能な動画像Ｃ１２、コンテンツＣ１３、Ｃ１４を表示してもよい。例えば、端末装置１００は、利用者が動画像Ｃ１２を選択した場合には、動画像Ｃ１２に関連するランディングページを表示する。また、端末装置１００は、動画像Ｃ１２として表示された画像のうち透過状態である領域、すなわち、コンテンツＣ１３の一部が表示されている領域を利用者が選択した場合には、コンテンツＣ１３に関連するランディングページを表示する。
【００６０】
また、端末装置１００は、動画像Ｃ１２として表示された画像のうちコンテンツＣ１４が重畳された領域を利用者が選択した場合には、コンテンツＣ１４に関連するランディングページを表示してもよい。なお、このようなランディングページは、コンテンツＣ１３、Ｃ１４ごとに異ってもよく、同一であってもよい。
【００６１】
〔２−１０．実行主体について〕
なお、上記では説明を省略したが、端末装置１００は、上述した特定処理や表示処理を任意の手法で実現することができる。例えば、端末装置１００は、上述した特定処理や表示処理を端末装置１００に実行させるアプリケーションをあらかじめダウンロードし、任意のタイミングでアプリケーションを実行することで、上述した処理を実現してもよい。
【００６２】
また、端末装置１００は、コンテンツＣ１３、Ｃ１４の配信と同時に、上述した特定処理や表示処理を実行させる制御情報の配信を受付ける。そして、端末装置１００は、制御情報に従って上記した表示処理や特定処理を行う。以下、このような制御情報に従って、図１に示す表示処理や特定処理を実行する端末装置１００等について説明する。
【００６３】
〔３．配信システムの構成〕
以下、上記した特定処理および表示処理を実現する端末装置１００等について説明する。まず、図３を用いて、実施形態に係る配信システム１の構成について説明する。図３は、実施形態に係る配信システムの構成例を示す図である。図３に示すように、配信システム１は、端末装置１００と、広告主端末１０と、広告配信サーバ２０と、コンテンツ配信サーバ３０とを含む。端末装置１００、広告主端末１０、広告配信サーバ２０およびコンテンツ配信サーバ３０は、ネットワークＮを介して有線または無線により通信可能に接続される。なお、図３に示す配信システム１には、複数台の端末装置１００や、複数台の広告主端末１０や、複数台の広告配信サーバ２０や、複数台のコンテンツ配信サーバ３０が含まれてもよい。
【００６４】
端末装置１００は、ウェブページを閲覧する利用者によって利用される情報処理装置である。例えば、端末装置１００は、スマートフォン等の携帯電話機や、タブレット端末や、ＰＤＡ（Personal  Digital  Assistant）や、デスクトップ型ＰＣ（Personal  Computer）や、ノート型ＰＣ等である。端末装置１００は、利用者による操作にしたがって、コンテンツ配信サーバ３０からウェブページＣ１１や動画像Ｃ１２を取得し、取得したウェブページＣ１１や動画像Ｃ１２を表示する。
【００６５】
また、端末装置１００は、取得したウェブページＣ１１や動画像Ｃ１２とともに後述する取得命令が含まれる場合には、コンテンツＣ１３、Ｃ１４を広告配信サーバ２０から取得する。また、端末装置１００は、上述した特定処理や表示処理を実現する制御情報の配信を広告配信サーバ２０から受付けた場合は、かかる制御情報に従って動作し、ウェブページＣ１１および動画像Ｃ１２の表示とともに、上述した特定処理や表示処理を実現する。
【００６６】
広告主端末１０は、広告主によって利用される情報処理装置である。例えば、広告主端末１０は、デスクトップ型ＰＣや、ノート型ＰＣや、タブレット端末や、携帯電話機や、ＰＤＡ等である。広告主端末１０は、広告主による操作にしたがって、コンテンツＣ１３、Ｃ１４を広告に関するコンテンツとして広告配信サーバ２０に入稿する。また、広告主端末１０は、コンテンツＣ１３、Ｃ１４として、静止画像や、動画像や、テキストデータや、ランディングページを取得するためのＵＲＬ（Uniform  Resource  Locator）などを広告配信サーバ２０に入稿する。
【００６７】
なお、広告主は、コンテンツＣ１３、Ｃ１４等の広告に関するコンテンツ（以下、広告コンテンツと記載する場合がある。）の入稿を代理店に依頼する場合がある。この場合、広告配信サーバ２０に広告コンテンツを入稿するのは代理店となる。以下では、「広告主」といった表記は、広告主だけでなく代理店を含む概念であり、「広告主端末」といった表記は、広告主端末１０だけでなく代理店によって利用される代理店装置を含む概念であるものとする。
【００６８】
広告配信サーバ２０は、広告主端末１０から入稿された広告コンテンツを配信するサーバ装置である。例えば、広告配信サーバ２０は、端末装置１００から広告コンテンツの配信要求を受付けると、端末装置１００の場所や利用者の属性等から利用者と広告コンテンツとのマッチングを行い、マッチングの結果配信対象となる広告コンテンツ、すなわちコンテンツＣ１３、Ｃ１４を端末装置１００に配信する。
【００６９】
ここで、広告配信サーバ２０は、上述した表示処理や特定処理を実現するための制御情報を広告コンテンツである動画像Ｃ１２とともに端末装置１００に配信する。この制御情報は、例えば、ＪａｖａＳｃｒｉｐｔ（登録商標）やＣＳＳ（Cascading  Style  Sheets）等のスクリプト言語により記述される。
【００７０】
コンテンツ配信サーバ３０は、端末装置１００にウェブページＣ１１や動画像Ｃ１２を配信するウェブサーバ等である。例えば、コンテンツ配信サーバ３０は、ポータルサイト、ニュースサイト、オークションサイト、天気予報サイト、ショッピングサイト、ファイナンス（株価）サイト、路線検索サイト、地図提供サイト、旅行サイト、飲食店紹介サイト、ウェブブログなどに関連する各種情報がタイル状に配置されたウェブページＣ１１を端末装置１００に配信する。また、コンテンツ配信サーバ３０は、動画像Ｃ１２のストリーミング配信等を実行する。なお、コンテンツ配信サーバ３０は、各種情報が配置されたポータルサイト等のウェブページを配信するサーバであってもよい。また、コンテンツ配信サーバ３０は、ウェブページＣ１１の配信を行わず、動画像Ｃ１２のみを配信するサーバであってもよい。
【００７１】
ここで、コンテンツ配信サーバ３０によって配信されるウェブページＣ１１や動画像Ｃ１２には、取得命令が含まれる。例えば、ウェブページＣ１１や動画像Ｃ１２を形成するＨＴＭＬファイル等には、広告配信サーバ２０のＵＲＬ等が取得命令として記述される。この場合、端末装置１００は、ＨＴＭＬファイル等に記述されているＵＲＬにアクセスすることで、広告配信サーバ２０からコンテンツＣ１３、Ｃ１４を広告コンテンツとして取得する。
【００７２】
なお、コンテンツ配信サーバ３０から端末装置１００に配信される各種データは、実際にはウェブページを形成するＨＴＭＬファイルや画像、ウェブページとともに表示される動画像等である。
【００７３】
〔４．広告配信サーバの構成〕
次に、図４を用いて、実施形態に係る広告配信サーバ２０の構成について説明する。図４は、実施形態に係る広告配信サーバの構成例を示す図である。図４に示すように、広告配信サーバ２０は、通信部２１と、記憶部２２と、制御部２３とを有する。
【００７４】
通信部２１は、例えば、ＮＩＣ（Network  Interface  Card）等によって実現される。そして、通信部２１は、ネットワークＮと有線または無線で接続され、端末装置１００や広告主端末１０やコンテンツ配信サーバ３０との間で情報の送受信を行う。
【００７５】
記憶部２２は、例えば、ＲＡＭ（Random  Access  Memory)、フラッシュメモリ（Flash  Memory）等の半導体メモリ素子、または、ハードディスク、光ディスク等の記憶装置によって実現される。また、記憶部２２は、広告主端末１０から入稿された広告コンテンツに関する各種情報が格納されたデータベースである広告データベース２４を記憶する。
【００７６】
ここで、図５は、実施形態に係る広告データベースに格納された情報の一例を示す図である。図５に示した例では、広告データベース２４は、広告主ＩＤ、広告コンテンツ、インプレッション数、インプレッション保証数、対価といった項目を有する。なお、広告データベース２４は、コンテンツと利用者とのマッチングを行うための情報や、ＣＴＲ（Click  Through  Rate）といった情報をさらに記憶してもよい。
【００７７】
「広告主ＩＤ」は、広告主または広告主端末１０を識別するための識別情報を示す。「広告コンテンツ」は、広告主端末１０から入稿されたコンテンツ、すなわち、コンテンツＣ１３、Ｃ１４等のコンテンツを示す。なお、図６では「広告コンテンツ」に「Ｃ１３」、「Ｃ１４」といった概念的な情報が格納される例を示したが、実際には、所定の情報を利用者に伝えようとする個別の画像、動画像、音声と画像、テキストデータ、ゲームのデータ、ゲーム形式の広告等、各コンテンツが所在するＵＲＬ、または、これらの格納場所を示すファイルパス名などが格納される。
【００７８】
広告データベース２４には、広告コンテンツとして、コンテンツＣ１３、Ｃ１４の他にも、表示処理や特定処理の内容を指示する表示指示が登録される。かかる表示指示には、表示処理においてコンテンツＣ１３、Ｃ１４をどのような態様で表示するかを示す情報が含まれる。例えば、表示指示には、どのような色彩が付された領域を特定領域とするか、どのような形状の被写体が含まれる領域を特定領域とするか等、特定処理において特定領域とする領域の条件を示す情報が含まれる。また、表示指示には、透過表示処理のための特定領域を特定するか、重畳表示処理のための特定領域を特定するかを示す情報が含まれる。また、表示指示には、透過表示処理を実行するか、重畳表示処理を実行するか、透過表示処理および重畳表示処理の両方を実行するかといった情報が含まれる。また、表示指示には、例えば、動画像Ｃ１２のうち、どの時間帯およびどの領域で上述した表示処理や特定処理を実行するかといった情報が含まれる。
【００７９】
なお、このような表示指示は、例えば、広告主が広告コンテンツを登録する際に、広告主によって任意の設定が行われる。また、コンテンツＣ１３、Ｃ１４が広告配信サーバ２０以外のサーバから端末装置１００へと配信される場合、表示指示には、コンテンツＣ１３、Ｃ１４にアクセスするためのＵＲＬ等が含まれる。
【００８０】
「インプレッション数」は、広告コンテンツが表示された回数を示す。また、「インプレッション保証数」は、対価に対して保証されている広告コンテンツの表示回数を示す。また、「対価」は、「インプレション保証数」だけ広告コンテンツが表示された際に広告主から支払われる報酬を示す。すなわち、広告配信サーバ２０は、広告に関するコンテンツをインプレッション保証型で配信するサーバである。
【００８１】
すなわち、図５では、広告主ＩＤ「Ｂ１０」によって識別される広告主が、動画像Ｃ１２を広告コンテンツとして入稿した例を示している。また、図５では、広告コンテンツ「Ｃ１３」のインプレッション数が「１００００」であり、インプレッション保証数が「２００００」であり、インプレッション保証数だけコンテンツ「Ｃ１３」が表示された際の対価（すなわち、課金額）が「ａａａ」である例を示している。
【００８２】
なお、広告コンテンツが選択される度に課金が行われるクリック課金形式で広告に関するコンテンツを配信する場合は広告データベース２４には、コンテンツが選択された回数や、コンテンツが選択された際の課金額等が登録される。また、配信要求を受信した際に、入札形式で広告コンテンツを選択し、選択した広告コンテンツを配信する場合は、広告データベース２４には、１インプレッションあたりの報酬として広告主が設定した広告料金である入札価格や、ＣＴＲ等が登録される。
【００８３】
図４に戻って、説明を続ける。制御部２３は、例えば、ＣＰＵ（Central  Processing  Unit）やＭＰＵ（Micro  Processing  Unit）等によって、広告配信サーバ２０内部の記憶装置に記憶されている各種プログラムがＲＡＭを作業領域として実行されることにより実現される。また、制御部２３は、例えば、ＡＳＩＣ（Application  Specific  Integrated  Circuit）やＦＰＧＡ（Field  Programmable  Gate  Array）等の集積回路により実現される。
【００８４】
図４に示すように、制御部２３は、入稿受付部２５と、要求受付部２６と、広告選択部２７と、配信部２８とを有し、以下に説明する情報処理の機能や作用を実現または実行する。なお、制御部２３の内部構成は、図４に示した構成に限られず、後述する情報処理を行う構成であれば他の構成であってもよい。また、制御部２３が有する各処理部の接続関係は、図４に示した接続関係に限られず、他の接続関係であってもよい。
【００８５】
入稿受付部２５は、広告主端末１０から広告コンテンツの入稿を受け付ける。具体的には、入稿受付部２５は、対価の指定とともに広告コンテンツの入稿を受け付ける。また、入稿受付部２５は、コンテンツＣ１３、Ｃ１４と表示指示とを受付ける。かかる場合、入稿受付部２５は、コンテンツＣ１３、Ｃ１４および表示指示を、広告主ＩＤと、受付けた対価の値とともに広告データベース２４に登録する。なお、入稿受付部２５は、広告主によってあらかじめ作成された、コンテンツＣ１３、Ｃ１４の入稿を受付けることとなる。
【００８６】
要求受付部２６は、端末装置１００から広告コンテンツの取得要求を受け付ける。例えば、要求受付部２６は、広告コンテンツの取得要求として、ＨＴＴＰリクエストを受け付ける。
【００８７】
広告選択部２７は、要求受付部２６によって広告コンテンツの取得要求が受け付けられた場合に、配信候補の広告コンテンツを広告データベース２４から選択する。例えば、広告選択部２７は、端末装置１００の位置や利用者の属性に基づいて、広告データベース２４に登録されている広告コンテンツから配信対象となる広告コンテンツのマッチングを行う。かかるマッチングにおいては、インプレッション数がインプレッション保証数よりも多くなるように、広告コンテンツの選択が行われる。例えば、広告選択部２７は、インプレッション保証数とインプレッション数との差が最も大きい広告コンテンツを優先して選択する。なお、広告選択部２７は、入札価格またはＣＴＲが高い広告コンテンツや、入札価格およびＣＴＲの双方が高い広告コンテンツが優先的に選択されてもよい。そして、広告選択部２７は、配信対象として選択された広告コンテンツを配信部２８に出力する。
【００８８】
なお、広告選択部２７は、ウェブページが検索ページである場合には、検索ページに指定された検索キーワードとマッチする広告コンテンツを抽出する検索連動型広告と呼ばれる広告配信手法を用いてもよい。また、広告選択部２７は、利用者の属性情報（サイコグラフィック属性、デモグラフィック属性など）とマッチする広告コンテンツを抽出するターゲティング配信と呼ばれる広告配信手法を用いてもよい。
【００８９】
配信部２８は、広告選択部２７が選択した広告コンテンツとともに、端末装置１００に対して制御情報を配信する。具体的には、配信部２８は、広告選択部２７が選択した広告コンテンツを受信すると、受信した広告コンテンツに含まれる表示指示を抽出する。そして、配信部２８は、抽出した表示指示が示す内容の特定処理および表示処理を端末装置１００に実行させるための制御情報を生成する。また、配信部２８は、特定領域を特定するための条件や、特定領域に表示されるコンテンツ等を示す情報である表示条件を生成する。そして、配信部２８は、生成した制御情報と、表示条件と、広告コンテンツとを端末装置１００に対して配信する。
【００９０】
〔５．コンテンツ配信サーバの構成〕
次に、図６を用いて、実施形態に係るコンテンツ配信サーバ３０の構成について説明する。図６は、実施形態に係るコンテンツ配信サーバの構成例を示す図である。図６に示すように、コンテンツ配信サーバ３０は、通信部３１と、コンテンツ記憶部３２と、制御部３３とを有する。
【００９１】
通信部３１は、例えば、ＮＩＣ等によって実現される。そして、通信部３１は、ネットワークＮと有線または無線で接続され、端末装置１００や広告配信サーバ２０との間で情報の送受信を行う。
【００９２】
コンテンツ記憶部３２は、例えば、ＲＡＭ、フラッシュメモリ等の半導体メモリ素子、または、ハードディスク、光ディスク等の記憶装置によって実現される。そして、コンテンツ記憶部３２は、コンテンツの一例であるウェブページを記憶する。例えば、コンテンツ記憶部３２は、ウェブページを形成するＨＴＭＬファイルや、ウェブページに表示される静止画像や動画像を記憶する。
【００９３】
制御部３３は、例えば、ＣＰＵやＭＰＵ等によって、コンテンツ配信サーバ３０内部の記憶装置に記憶されている各種プログラム（配信プログラムの一例に相当）がＲＡＭを作業領域として実行されることにより実現される。また、制御部３３は、例えば、ＡＳＩＣやＦＰＧＡ等の集積回路により実現される。
【００９４】
図６に示すように、制御部３３は、受付部３４と、配信部３５とを有し、以下に説明する情報処理の機能や作用を実現または実行する。なお、制御部３３の内部構成は、図６に示した構成に限られず、後述する情報処理を行う構成であれば他の構成であってもよい。また、制御部３３が有する各処理部の接続関係は、図６に示した接続関係に限られず、他の接続関係であってもよい。
【００９５】
受付部３４は、端末装置１００からウェブページの取得要求を受け付ける。例えば、受付部３４は、ウェブページの取得要求として、ＨＴＴＰリクエストを受け付ける。
【００９６】
配信部３５は、受付部３４によってウェブページの取得要求が受け付けられた場合に、ウェブページを端末装置１００に配信する。具体的には、配信部３５は、コンテンツ記憶部３２から取得要求対象のウェブページを取得し、取得したウェブページを端末装置１００に配信する。
【００９７】
例えば、配信部３５は、ウェブページＣ１１を生成し、生成したウェブページＣ１１を端末装置１００に配信するとともに、ウェブページＣ１２とともに表示される動画像Ｃ１２を端末装置１００に配信する。かかる場合、端末装置１００は、ウェブページＣ１１と動画像Ｃ１２とを表示するとともに、動画像Ｃ１２の再生を開始し、上述した特定処理および表示処理を実行する。なお、配信システム１においては、動画像Ｃ１２は、コンテンツ配信サーバ３０ではなく、動画像Ｃ１２のストリーミング配信を行う所定のサーバにより配信されてもよい。
【００９８】
〔６．端末装置の構成〕
次に、図７を用いて、実施形態に係る端末装置１００の構成について説明する。図７は、実施形態に係る端末装置の構成例を示す図である。図７に示すように、端末装置１００は、通信部１１０と、出力部１２０と、入力部１３０と、記憶部１４０と、制御部１５０とを有する。なお、端末装置１００は、図７に示す機能構成以外にも、任意の機能構成を有していてよい。
【００９９】
通信部１１０は、例えば、ＮＩＣ等によって実現される。そして、通信部１１０は、ネットワークＮと有線または無線で接続され、広告配信サーバ２０やコンテンツ配信サーバ３０との間で情報の送受信を行う。
【０１００】
出力部１２０は、各種情報を表示するための表示装置である。例えば、出力部１２０は、液晶ディスプレイ等によって実現される。入力部１３０は、利用者から各種操作を受け付ける入力装置である。例えば、入力部１３０は、キーボードやマウスや操作キー等によって実現される。なお、端末装置１００にタッチパネルが採用される場合には、出力部１２０と入力部１３０とは一体化される。また、以下の説明では、出力部１２０を画面と記載する場合がある。
【０１０１】
記憶部１４０は、例えば、ＲＡＭ、フラッシュメモリ等の半導体メモリ素子、または、ハードディスク、光ディスク等の記憶装置によって実現される。そして、記憶部１４０は、動画バッファ１４１、コンテンツデータ１４２、表示条件１４３が格納される。
【０１０２】
動画バッファ１４１は、動画像Ｃ１２の再生に用いられるバッファである。例えば、端末装置１００は、動画像Ｃ１２のストリーミング配信を受付ける場合は、動画像Ｃ１２のデータを順次受信し、受信したデータを動画バッファ１４１として記憶部１４０に格納するとともに、動画バッファ１４１を読み出して動画像Ｃ１２の再生を実現する。
【０１０３】
コンテンツデータ１４２は、動画像Ｃ１２とともに表示されるコンテンツＣ１３、Ｃ１４のデータである。例えば、端末装置１００は、コンテンツＣ１３、Ｃ１４の配信を受付けると、受付けたコンテンツＣ１３、Ｃ１４を記憶部１４０に登録する。
【０１０４】
表示条件１４３は、コンテンツＣ１３、Ｃ１４を表示する特定領域の条件を示す情報である。例えば、図８は、実施形態に係る表示条件の一例を説明する図である。図８に示すように、表示条件には、「範囲特定条件」と「表示方法」と「表示コンテンツ」といった項目が含まれる。
【０１０５】
ここで、「範囲特定条件」とは、特定領域として特定される領域の条件を示す情報であり、例えば、特定領域として特定される領域に含まれる被写体の形状や、特定される領域に付された色彩等を示す情報である。また、「表示方法」とは、特定領域にコンテンツＣ１３、Ｃ１４をどのように表示するかを示す情報である。また、「表示コンテンツ」とは、対応付けられた範囲特定条件が示す条件を満たす特定領域に表示されるコンテンツを示す情報である。
【０１０６】
例えば、図８に示す例では、範囲特定条件「形状（円形）」と、表示方法「重畳」と、表示コンテンツ「コンテンツＣ１４」とを対応付けた表示条件１４３が示されている。かかる表示条件１４３は、円形の形状の被写体を含む領域を特定領域として特定し、特定領域にコンテンツＣ１４を特定領域に重畳して表示する旨を示す。また、図８に示す例では、範囲特定条件「色彩（＃３３ｆｆｃｃ）」と、表示方法「透過」と、表示コンテンツ「コンテンツＣ１３」とを対応付けた表示条件１４３が示されている。かかる表示条件１４３は、動画像Ｃ１２のうち、所謂ウェブカラーである「＃３３ｆｆｃｃ」が示す色彩が付された領域を特定領域として特定し、特定領域を透過状態にすることで、動画像Ｃ１２の背面に配置されたコンテンツＣ１３を表示する旨を示す。
【０１０７】
図７に戻り、説明を続ける。制御部１５０は、例えば、ＣＰＵやＭＰＵ等によって、端末装置１００内部の記憶装置に記憶されている各種プログラム（情報表示プログラムの一例に相当）がＲＡＭを作業領域として実行されることにより実現される。例えば、この各種プログラムは、ウェブブラウザと呼ばれるアプリケーションプログラムに該当する。また、制御部１５０は、例えば、ＡＳＩＣやＦＰＧＡ等の集積回路により実現される。
【０１０８】
図７に示すように、制御部１５０は、要求部１５１、操作制御部１５２、表示制御部１５３を有し、以下に説明する情報処理の機能や作用を実現または実行する。なお、制御部１５０の内部構成は、図７に示した構成に限られず、後述する情報処理を行う構成であれば他の構成であってもよい。また、制御部１５０が有する各処理部の接続関係は、図７に示した接続関係に限られず、他の接続関係であってもよい。
【０１０９】
要求部１５１は、操作制御部１５２からウェブページＣ１１のＵＲＬを受信した場合は、コンテンツ配信サーバ３０に対して受信したＵＲＬが示すウェブページＣ１１の取得要求を送信する。また、要求部１５１は、ウェブページＣ１１に動画像Ｃ１２を取得して再生する旨の命令が含まれる場合には、動画像Ｃ１２の配信を行うサーバに対して動画像Ｃ１２の配信要求を送信し、動画像Ｃ１２の配信を受付ける。また、要求部１５１は、コンテンツ配信サーバ３０から受信したウェブページＣ１１に取得命令が含まれる場合に、広告コンテンツの取得要求を広告配信サーバ２０に送信する。
【０１１０】
操作制御部１５２は、入力部１３０を介して受け付けた利用者の操作にしたがって、各種制御を実行する。例えば、操作制御部１５２は、利用者が入力部１３０に対してウェブページＣ１１の表示操作を行った場合は、表示対象となるウェブページＣ１１のＵＲＬを要求部１５１に出力する。また、操作制御部１５２は、入力部１３０を介して受け付けたスクロール操作やタップ操作等、利用者の操作の内容を表示制御部１５３に出力する。
【０１１１】
表示制御部１５３は、上述した表示処理および特定処理を実行する。例えば、表示制御部１５３は、制御部１５０が、ウェブコンテンツＣ１０ともに配信される制御情報を実行することで、図７に示すように、取得部１５４、特定部１５５、および表示部１５６として動作し、表示処理および特定処理を実行する。取得部１５４、特定部１５５、および表示部１５６は、例えば、ＣＰＵやＭＰＵ等によって、制御情報がＲＡＭを作業領域として実行されることにより実現される。
【０１１２】
取得部１５４は、動画像Ｃ１２やコンテンツＣ１３、Ｃ１４を取得する。例えば、取得部１５４は、動画像Ｃ１２のデータを受付けると、受付けたデータを動画バッファ１４１として記憶部１４０に登録する。また、取得部１５４は、コンテンツＣ１３、Ｃ１４および表示条件の配信を受付けると、受付けたコンテンツＣ１３、Ｃ１４をコンテンツデータ１４２として記憶部１４０に登録するとともに、表示条件を記憶部１４０に登録する。
【０１１３】
特定部１５５は、動画像Ｃ１２のうち、所定の条件を満たす領域を特定する。より具体的には、特定部１５５は、動画像Ｃ１２として表示される画像のうち、所定の色彩が付与された領域、または、所定の形状の被写体が含まれる領域の少なくともいずれか一方を特定する。
【０１１４】
例えば、特定部１５５は、表示条件１４３を参照し、動画像Ｃ１２から特定領域として特定する領域の条件、すなわち、範囲特定条件を取得する。また、特定部１５５は、動画バッファ１４１から動画像Ｃ１２として表示される画像を取得する。そして、特定部１５５は、取得した画像のうち、範囲特定条件に合致する領域を特定領域として特定する。例えば、特定部１５５は、動画像Ｃ１２として表示される画像のうち、所定の色彩が付された領域をコンテンツＣ１３が表示される領域として特定し、円形の形状の被写体が含まれる領域をコンテンツＣ１４が表示される領域として特定する。そして、特定部１５５は、特定領域を表示部１５６に通知する。
【０１１５】
表示部１５６は、動画像Ｃ１２のうち、特定部１５５によって特定された特定領域に、コンテンツＣ１３、Ｃ１４を表示する。例えば、表示部１５６は、表示条件１４３を参照し、コンテンツＣ１４を表示する方法として、特定領域に重畳する旨を特定する。また、表示部１５６は、表示条件１４３を参照し、コンテンツＣ１３を表示する方法として、特定領域を透過させる旨を特定する。このような場合、表示部１５６は、ウェブページＣ１１と動画像Ｃ１２として表示される画像とを画面上に表示するとともに、動画像Ｃ１２の背面にコンテンツＣ１３を配置する。そして、表示部１５６は、動画像Ｃ１２として表示される画像のうち、コンテンツＣ１３が表示される領域として特定された特定領域を透過状態にすることで、背面に配置されたコンテンツＣ１３の一部を表示する。
【０１１６】
また、表示部１５６は、動画像Ｃ１２として表示される画像のうち、コンテンツＣ１４が表示される領域として特定された特定領域に、コンテンツＣ１４を重畳する。例えば、表示部１５６は、コンテンツＣ１４が表示される領域として特定された特定領域と同相の形状にコンテンツＣ１４をトリミングするとともに、トリミングしたコンテンツＣ１４の表示サイズを特定領域と同じサイズに変更する。そして、表示部１５６は、動画像Ｃ１２として表示される画像のうちコンテンツＣ１４が表示される領域として特定された特定領域の位置に、コンテンツＣ１４を重畳することで、動画像Ｃ１２の一部としてコンテンツＣ１４を表示する。
【０１１７】
なお、表示部１５６は、例えば、特定領域の大きさに応じて、特定領域に表示されるコンテンツを変更してもよい。このような処理を実行する場合、表示条件１４３には、表示対象となる複数のコンテンツと、特定領域がどのような大きさの際に、どのコンテンツを表示するかといった情報が含まれることとなる。
【０１１８】
〔７．コンテンツの表示例〕
次に、図９を用いて、実施形態に係る端末装置１００がコンテンツＣ１３、Ｃ１４を表示する処理の一例について説明する。図９は、実施形態に係る端末装置がコンテンツを表示する処理の一例を説明する図である。なお、図９に示す例では、透過表示処理によりコンテンツＣ１３を表示する処理の一例と、重畳表示処理によりコンテンツＣ１４を表示する処理の一例について記載した。
【０１１９】
例えば、図９中（Ａ）に示すように、端末装置１００は、透過表示処理を実行する場合、動画像Ｃ１２の背面にコンテンツＣ１３を配置する。そして、端末装置１０は、動画像Ｃ１２のうち、領域Ａ０１を透過させることで、コンテンツＣ１３のうち、領域Ａ０１の背面に配置された領域を表示する。この結果、端末装置１０は、領域Ａ０１の移動に従い、コンテンツＣ１３のうち画面上に表示される領域を変更することとなる。
【０１２０】
一方、図９中（Ｂ）に示すように、端末装置１００は、重畳表示処理を実行する場合、動画像Ｃ１２のうち、領域Ａ０１を含む範囲にコンテンツＣ１４を重畳して表示する。この結果、端末装置１００は、領域Ａ０１の移動に伴って、動画像Ｃ１２のうちコンテンツＣ１４を重畳する位置を変更することとなる。
【０１２１】
〔８．表示処理のバリエーション〕
上記では、図１、図２に例示した表示態様を用いながら、端末装置１００による特定処理や表示処理の一例について説明した。しかしながら、実施形態は、これに限定されるものではない。以下、端末装置１００が実行する特定処理や表示処理のバリエーションについて説明する。なお、以下に説明する特定処理や表示処理は、例えば特定部１５５や表示部１５６が発揮する機能により実現されるが、実施形態は、これに限定されるものではない。
【０１２２】
〔８−１．透過コンテンツについて〕
上述した端末装置１００は、動画像Ｃ１２のうち特定領域を透過させることで、背面に配置されたコンテンツＣ１３の一部を表示した。このような透過表示処理を実行する際に、動画像Ｃ１２を選択可能とした場合には、透過状態にした特定領域がコンテンツＣ１３の前面に配置されているため、コンテンツＣ１３を選択することができない。そこで、端末装置１００は、動画像Ｃ１２を選択できない状態に設定することで、コンテンツＣ１３を選択可能な状態にしてもよい。
【０１２３】
また、例えば、端末装置１００は、全体が透過状態に設定されたコンテンツであって、所定の領域が選択された際に所定のランディングページに遷移可能な透過コンテンツを動画像Ｃ１２と重ねて表示してもよい。例えば、端末装置１００は、特定領域として特定されるであろう領域と重なる領域以外の領域が選択された際に、所定のランディングページに遷移可能な透過コンテンツを動画像Ｃ１２と重ねて表示してもよい。
【０１２４】
以下、図１０を用いて、端末装置１００が透過コンテンツを動画像と重ねて表示する処理の一例について説明する。図１０は、実施形態に係る端末装置が実行する表示処理のバリエーションを説明する図である。なお、図１０に示す例では、端末装置１００がウェブページＣ２１、動画像Ｃ２２および透過コンテンツＣ２３の配信を受付けた際に実行する処理の一例を第１状態〜第６状態に分けて記載した。
【０１２５】
例えば、図１０に示す例では、端末装置１００は、ウェブページＣ２１、動画像Ｃ２２、および透過コンテンツＣ２３の配信を受付ける。ここで、ウェブページＣ２１は、例えば、ポータルサイト等のウェブページであり、様々なコンテンツへのリンクが設定されたウェブページである。また、動画像Ｃ２２は、ウェブページＣ２１とともに表示される動画像であり、例えば、所定の音楽に合わせて踊る人物と、所定の色彩が付された背景とを含む動画像である。
【０１２６】
また、透過コンテンツＣ２３は、背面に配置されたコンテンツを透過させるコンテンツであり、具体的には、動画像である。ここで、透過コンテンツＣ２３には、利用者が選択不可能な状態に設定された領域Ｃ２４と、利用者が選択可能な状態に設定された領域Ｃ２５とを含む。より具体的には、領域Ｃ２４は、動画像Ｃ２２のうち、所定の色彩が付された範囲と重なる領域である。また、領域Ｃ２５は、音楽に合わせて踊る人物と重なる領域である。なお、領域Ｃ２５は、動画像Ｃ２２のうち、所定の色彩が付されていない領域と重なる領域であってもよい。
【０１２７】
例えば、端末装置１００は、ウェブページＣ２１、動画像Ｃ２２および透過コンテンツＣ２３の配信を受付けると、第１状態に示すようにウェブページＣ２１のみを画面上に表示する。ここで、ウェブページＣ２１には、動画像Ｃ２２の再生を開始するための再生表示Ｃ２６、他のコンテンツへのリンクＣ２７、およびニュース記事へのリンクＣ２８が含まれる。
【０１２８】
そして、端末装置１００は、ウェブページＣ２１を表示中に、利用者の指Ｆ１０が再生表示Ｃ２６を選択した場合には、第２状態に示すように、動画像Ｃ２２の表示および再生を開始する。より具体的には、端末装置１００は、動画像Ｃ２２のうち所定の色彩が付された領域を特定し、特定した領域を透過状態にした動画像Ｃ２２をウェブページＣ２１と重ねて表示する。さらに、端末装置１００は、動画像Ｃ２２を選択不可能な状態で表示するとともに、動画像Ｃ２２の前面に透過コンテンツＣ２３を重ねて表示する。そして、端末装置１００は、あたかも、一部の領域が透過する動画像Ｃ２２がウェブページＣ２１と重ねて表示されるといった対応で、動画像Ｃ２２の再生を開始する。
【０１２９】
例えば、図１１は、実施形態に係る端末装置が透過コンテンツを表示する処理の一例について説明する図である。例えば、端末装置１００は、ウェブページＣ２１の前面に動画像Ｃ２２を配置し、動画像Ｃ２２に透過コンテンツＣ２３を重ねて表示する。ここで、透過コンテンツＣ２３は、背面に配置されたコンテンツを透過させるため、画面上には、動画像Ｃ２２、および、ウェブページＣ２１のうち、動画像Ｃ２２のうち透過状態にした領域と重なる範囲が表示される。
【０１３０】
ここで、透過コンテンツＣ２３には、動画像Ｃ２２のうち人物が含まれる領域と重ならない領域Ｃ２４と、人物が含まれる領域と重なる領域Ｃ２５とが含まれており、領域Ｃ２５が選択可能に設定されている。このため、例えば、端末装置１００は、動画像Ｃ２２のうち人物が含まれている領域を利用者が選択した場合は、領域Ｃ２５が選択されたと判定し、領域Ｃ２５と予め関連付けられたコンテンツを表示することとなる。一方、端末装置１００は、動画像Ｃ２２のうち透過状態にされた領域を利用者が選択した場合は、領域Ｃ２４や動画像Ｃ２２ではなく、透過状態にされた領域を介して表示されたウェブページＣ２１のリンクが選択されたものとして、選択されたリンクと対応するコンテンツを表示することとなる。
【０１３１】
図１０に戻り、端末装置１００が実行する処理の一例を説明する。例えば、第３状態に示すように、利用者の指Ｆ１０が動画像Ｃ２２のうち人物が撮像されていない領域、すなわち、透過状態となっている領域を選択したものとする。このような場合には、端末装置１００は、画面上に表示された動画像Ｃ２２や透過コンテンツＣ２３ではなく、その背面に配置されたウェブページＣ２１に配置されたリンクＣ２７が選択されたと判定する。この結果、端末装置１００は、第４状態に示すように、選択されたリンクＣ２７と対応するウェブページＣ２９を表示する。
【０１３２】
一方、端末装置１００は、第３状態に示したような操作が行われなかった場合は、動画像Ｃ２２および透過コンテンツＣ２３の再生を継続する。ここで、第５状態に示すように、利用者の指Ｆ１０が動画像Ｃ２２のうち人物が撮像された領域を選択したものとする。ここで、動画像Ｃ２２に重ねて表示された透過コンテンツＣ２３のうち、人物が撮像された領域と重なる領域Ｃ２５は、選択可能な状態で表示されている。このため、第５状態に示すような操作が行われた場合は、端末装置１００は、第６状態に示すように、領域Ｃ２５が選択されたと判定し、領域Ｃ２５と対応するランディングページＬ０１を表示する。
【０１３３】
〔８−２．重畳表示や透過表示の終了について〕
ここで、端末装置１００は、特定領域に重畳したコンテンツＣ１４の表示を任意の操作により取りやめてもよい。例えば、端末装置１００は、特定領域にコンテンツＣ１４を重畳して表示するとともに、コンテンツＣ１４の表示を取りやめるための消去表示をコンテンツＣ１４の一部に重畳して表示する。そして、端末装置１００は、利用者が消去表示を選択した場合は、特定領域に重畳したコンテンツＣ１４を消去し、動画像Ｃ１２のみを表示してもよい。また、端末装置１００は、例えば、利用者が所定の操作を行った場合には、コンテンツＣ１４の表示を取りやめてもよい。
【０１３４】
同様に、端末装置１００は、動画像Ｃ１２の特定領域を透過状態にすることで、コンテンツＣ１３の一部を表示するとともに、所定の消去表示を表示し、利用者が消去表示を選択した場合は、特定領域の状態を通常の状態に変化させることで、コンテンツＣ１３の表示を取りやめてもよい。
【０１３５】
〔８−３．特定処理の対象について〕
上述した端末装置１００は、動画像Ｃ１２、Ｃ２２の全体から所定の条件を満たす特定領域を特定した。しかしながら、実施形態は、これに限定されるものではない。例えば、端末装置１００は、動画像Ｃ１２、Ｃ２２のうち、所定の期間の間再生される範囲から特定領域を特定してもよく、動画像Ｃ１２、Ｃ２２として表示される画像のうち所定の領域から特定領域を特定してもよい。
【０１３６】
〔８−４．表示処理の形態について〕
また、上述した端末装置１００は、動画像Ｃ１２のうち特定領域に広告に関するコンテンツＣ１４を重畳して表示した。しかしながら、実施形態は、これに限定されるものではない。例えば、端末装置１００は、広告に関する動画像Ｃ１２を表示するとともに、動画像Ｃ１２のうち特定領域に他の広告に関するコンテンツＣ１４や、ウェブページＣ１１を重畳して表示してもよい。また、端末装置１００は、広告に関する動画像Ｃ１２のうち、特定領域を透過させることで、背面に配置されたコンテンツＣ１４やウェブページＣ１１を表示してもよい。
【０１３７】
また、端末装置１００は、広告に関連しないコンテンツＣ１３、Ｃ１４を表示してもよい。例えば、端末装置１００は、サッカーのライブストリーミング動画を動画像Ｃ１２として表示するとともに、宇宙空間の画像を含むコンテンツＣ１３を動画像Ｃ１２の背面に配置する。そして、端末装置１００は、動画像Ｃ１２のうちフィールドが含まれる範囲を特定領域として透過状態にすることで、あたかも宇宙空間でサッカーが行われているといった態様の動画像Ｃ１２を表示してもよい。また、端末装置１００は、宇宙空間以外にも、利用者が選択した任意の画像をコンテンツＣ１３として表示してもよい。例えば、端末装置１００は、広告に関するコンテンツＣ１３を表示することで、あたかも広告の上でサッカーが行われているといった態様の動画像Ｃ１２を表示してもよい。
【０１３８】
〔８−５．広告コンテンツの配信について〕
ここで、上述した説明では、ウェブページＣ１１、動画像Ｃ１２およびコンテンツＣ１３、Ｃ１４の配信を受付けた端末装置１００により、特定処理や表示処理が実行された。このように、特定処理や表示処理を動画像Ｃ１２の配信元となるサーバではなく、動画像Ｃ１２の配信先となる端末装置１００が実行することにより、端末装置１００の利用者に応じて表示するコンテンツの切り替えを実現することができる。
【０１３９】
すなわち、端末装置１００には、端末装置１００を使用する利用者に応じて広告配信サーバ２０により選択されたコンテンツＣ１３、Ｃ１４が広告コンテンツとして配信されることとなる。この結果、端末装置１００は、同一の動画像Ｃ１２を表示する場合にも、利用者に応じて異なるコンテンツＣ１３、Ｃ１４を特定領域に表示することとなる。このため、端末装置１００は、コンテンツＣ１３、Ｃ１４に対する利用者の興味をより強く生じさせることができる。
【０１４０】
なお、実施形態は、上述した処理に限定されるものではない。例えば、広告配信サーバ２０やコンテンツ配信サーバ３０は、動画像Ｃ１２を所定のサーバから取得し、取得した動画像Ｃ１２のうち所定の条件を満たす特定領域を特定し、特定領域にコンテンツＣ１３、Ｃ１４を配置した動画像Ｃ１２を生成した上で、端末装置１００に動画像Ｃ１２を配信してもよい。すなわち、上述した特定処理や表示処理は、配信システム１における任意のサーバにより実現されてよい。
【０１４１】
〔８−６．特定領域の指定について〕
なお、広告配信サーバ２０は、任意の条件を満たす領域を特定領域として受付け可能である。例えば、広告配信サーバ２０は、広告主から任意の色彩が付された領域を特定領域にする旨の表示指示を受付け可能であり、任意の形状の被写体が付された領域を特定領域にする旨の表示指示を受付け可能である。
【０１４２】
〔８−７．その他〕
端末装置１００は、上述した任意の処理を適宜組み合わせて、特定処理や表示処理を実行してもよい。かかる組合せは、広告配信サーバ２０に広告コンテンツを登録する際、表示指示として広告主が任意に設定することができる。そして、広告配信サーバ２０は、広告主が設定した処理の組合せを端末装置１００に実行させる制御情報を生成し、生成した制御情報を端末装置１００に配信する。この結果、端末装置１００は、上述した任意の処理を広告主の設定に応じて組合せ、実行することができる。
【０１４３】
〔９．端末装置１００の処理フロー〕
次に、図１２を用いて、制御情報を実行した端末装置１００が実行する処理の手順について説明する。図１２は、実施形態に係る端末装置が実行する表示処理の流れの一例を示すフローチャートである。なお、図１２に示す例では、動画像Ｃ１２等、広告配信サーバ２０から配信されるコンテンツＣ１３、Ｃ１４を広告コンテンツとして処理を説明する。
【０１４４】
図１２に示す例では、端末装置１００は、利用者の操作に応じてコンテンツ配信サーバ３０にウェブページＣ１１および動画像Ｃ１２の配信を要求し、コンテンツ配信サーバ３０からウェブページＣ１１および動画像Ｃ１２を受信する（ステップＳ１０１）。次に、端末装置１００は、配信されたウェブページＣ１１や動画像Ｃ１２に取得命令が含まれる場合は、広告配信サーバ２０に対して配信要求を送信する（ステップＳ１０２）。次に、端末装置１００は、広告コンテンツを受信したか否かを判定する（ステップＳ１０３）。そして、端末装置１００は、広告コンテンツを受信していないと判定した場合は（ステップＳ１０３：Ｎｏ）、再度ステップＳ１０３を実行する。
【０１４５】
また、端末装置１００は、広告コンテンツを受信した場合は（ステップＳ１０３：Ｙｅｓ）、ウェブページＣ１１と動画像Ｃ１２とを画面上に表示するとともに、動画像Ｃ１２の再生を開始する（ステップＳ１０４）。続いて、端末装置１００は、動画像Ｃ１２から所定の条件を満たす領域を検出したか否かを判定する（ステップＳ１０５）。具体的には、端末装置１００は、動画像Ｃ１２として表示される画像に所定の条件を満たす領域が含まれているか否かを判定する（ステップＳ１０５）。
【０１４６】
そして、端末装置１００は、動画像Ｃ１２から所定の条件を満たす領域を検出した場合は（ステップＳ１０５：Ｙｅｓ）、動画像Ｃ１２のうち検出した領域に広告コンテンツを表示する（ステップＳ１０６）。例えば、端末装置１００は、動画像Ｃ１２のうち検出した領域を透過状態にすることで、動画像Ｃ１２の背面に配置されたコンテンツＣ１３を表示する。また、他の例では、端末装置１００は、動画像Ｃ１２のうち検出した領域にコンテンツＣ１４を重畳して表示する。
【０１４７】
また、端末装置１００は、利用者がリンクをタップした等の処理によりウェブページＣ１１を遷移させるか否かを判定する（ステップＳ１０７）。そして、端末装置１００は、ウェブページＣ１１を遷移させる場合は（ステップＳ１０７：Ｙｅｓ）、ウェブページＣ１１を遷移させ（ステップＳ１０８）、処理を終了する。
【０１４８】
一方、端末装置１００は、ウェブページＣ１１を遷移させない場合は（ステップＳ１０７：Ｎｏ）、ステップＳ１０４を実行する。また、端末装置１００は、所定の条件を満たす領域を検出しなかった場合は（ステップＳ１０５：Ｎｏ）、ステップＳ１０４を実行する。
【０１４９】
〔１０．変形例〕
上記では、図１、図２、図１０に例示した表示態様を用いながら、端末装置１００による特定処理や表示処理の一例について説明した。しかしながら、実施形態は、これに限定されるものではない。以下、端末装置１００が実行する特定処理や表示処理のバリエーションについて説明する。
【０１５０】
〔１０−１．特定処理について〕
端末装置１００は、特定処理を実行することで、動画像Ｃ１２から所定の条件を満たす領域を特定した。しかしながら、実施形態は、これに限定されるものではない。例えば、端末装置１００は、特定処理を実行せずとも、例えば、あらかじめ指定された所定の領域を透過状態にすることで、或いは、あらかじめ指定された所定の領域にコンテンツＣ１３、Ｃ１４を重畳することで、動画像Ｃ１２の一部にコンテンツＣ１３、Ｃ１４を表示してもよい。このような処理を実行した場合、端末装置１００は、画像解析等の技術を用いて動画像Ｃ１２から特定領域を特定せずともよい。この結果、端末装置１００は、動画像Ｃ１２やコンテンツＣ１３、Ｃ１４を表示する際に要する計算リソースを削減することができる。
【０１５１】
また、例えば、端末装置１００は、文字列、模様、画像、動画像、ゲーム、または音声等を含むコンテンツＣ１３、Ｃ１４を表示してもよい。また、端末装置１００は、広告にかかるコンテンツではなく、ゲーム等を含むコンテンツＣ１３、Ｃ１４を表示してもよく、いわゆるプレイアブル広告を含むコンテンツＣ１３、Ｃ１４を表示してもよい。また、端末装置１００は、音声を含むコンテンツＣ１３、Ｃ１４を表示してもよい。なお、コンテンツＣ１３、Ｃ１４に含まれる文字列、模様、画像、動画像、ゲーム、音声等は、広告に関するものに限定されるものではない。
【０１５２】
また、例えば、端末装置１００は、ウェブページＣ１１に代えてゲームコンテンツを表示する際、ゲームのメニューやチュートリアル等の補助コンテンツを動画像Ｃ１２やコンテンツＣ１３、Ｃ１４として表示してもよい。また、端末装置１００は、ゲームの実行時、フラッシュやＣＳＳ等の技術により作成されたインタラクティブ形式のウェブページの表示を行う際に動画像Ｃ１２やコンテンツＣ１３、Ｃ１４を表示して、特定処理や表示処理を実行してもよい。
【０１５３】
また、端末装置１００は、ＳＮＳ（Social  Networking  Service）のコンテンツ、メッセンジャーアプリケーションの画面、カメラアプリケーションの画面、その他任意のコンテンツとともに、上述した特定処理や表示処理を実行し、動画像Ｃ１２やコンテンツＣ１３、Ｃ１４を表示してもよい。また、端末装置１００は、ウェブページＣ１１以外にも、ゲーム、地図、音楽再生画面、動画再生画面等、任意のコンテンツを表示してもよい。
【０１５４】
〔１０−２．制御情報について〕
上記した端末装置１００は、広告配信サーバ２０が動画像Ｃ１２とともに配信する制御情報を用いて、上記した表示処理や特定処理を実行した。しかしながら、実施形態は、これに限定されるものではない。例えば、端末装置１００は、上記した制御情報をコンテンツ配信サーバ３０からウェブページＣ１１とともに受信し、広告配信サーバ２０から動画像Ｃ１２およびコンテンツＣ１３、Ｃ１４とともに表示指示を受信する。そして、端末装置１００は、コンテンツ配信サーバ３０から受信した制御情報を実行するとともに、受信した表示指示に従って特定処理や表示処理を実行してもよい。
【０１５５】
また、端末装置１００は、特定処理や表示処理を端末装置１００に実行させるアプリケーションをあらかじめダウンロードし、かかるアプリケーションを実行することで、上述した処理を実現してもよい。また、端末装置１００は、特定処理や表示処理を実行する情報表示プログラムを含むアプリケーションをダウンロードし、かかるアプリケーションのインストールにより、特定処理や表示処理を実現可能としてもよい。また、端末装置１００は、特定処理や表示処理を実行する情報表示プログラムの配信を受付けた後に、情報表示プログラムを使用して表示する旨が規定された広告コンテンツを受信すると、配信された情報表示プログラムを実行し、受信した広告コンテンツを表示する際に特定処理や表示処理を実現してもよい。また、端末装置１００は、情報表示プログラムを実行する一方で、特定処理においてどのような領域を特定するかといった条件や、どのようにしてコンテンツＣ１３、Ｃ１４を表示するかといった指定については、広告配信サーバ２０等から配信を受付けてもよい。
【０１５６】
〔１０−３．装置構成〕
また、上記実施形態では、配信システム１に、広告配信サーバ２０とコンテンツ配信サーバ３０とが含まれる例を示したが、広告配信サーバ２０とコンテンツ配信サーバ３０とは１個の装置として形成されてもよい。この場合、図４に示した広告配信サーバ２０は、例えば、図６に示したコンテンツ記憶部３２、受付部３４、配信部３５を有する。そして、広告配信サーバ２０は、端末装置１００からウェブページＣ１１の取得要求を受け付けた場合に、動画像Ｃ１２とともに、取得命令を含まないウェブページＣ１１を端末装置１００に配信する。
【０１５７】
また、上記実施形態では、広告配信サーバ２０から端末装置１００にコンテンツＣ１３、Ｃ１４が配信される例を示したが、コンテンツ配信サーバ３０が、広告配信サーバ２０からコンテンツＣ１３、Ｃ１４を取得してもよい。この場合、広告配信サーバ２０の要求受付部２６は、コンテンツ配信サーバ３０からコンテンツＣ１３、Ｃ１４の取得要求を受け付ける。また、広告配信サーバ２０は、コンテンツ配信サーバ３０にコンテンツＣ１３、Ｃ１４を配信する。また、コンテンツ配信サーバ３０は、広告配信サーバ２０から取得したコンテンツＣ１３、Ｃ１４とともに、取得命令を含まないウェブページＣ１１と、動画像Ｃ１２とを端末装置１００に配信する。
【０１５８】
〔１０−４．ログについて〕
ここで、端末装置１００は、コンテンツＣ１３、Ｃ１４が表示されたか否かを示すログや、利用者によってコンテンツＣ１３、Ｃ１４が選択された回数のログを取ってもよい。また、端末装置１００は、コンテンツＣ１３、Ｃ１４の表示回数や選択回数だけではなく、コンテンツＣ１３、Ｃ１４が表示された位置を示すログを取ってもよい。また、端末装置１００は、コンテンツＣ１３、Ｃ１４にＧＩＦ動画等の動画像が含まれる場合は、かかる動画像が再生されたか否かを示すログを取ってもよい。
【０１５９】
また、端末装置１００は、ランディングページが表示されたか否か、どのランディングページが表示されたか、コンテンツＣ１３、Ｃ１４が選択された際に、コンテンツＣ１３、Ｃ１４のうちどの範囲が表示されていたか、コンテンツＣ１３、Ｃ１４のうちどの位置が選択されたか、どのタイミングでコンテンツＣ１３、Ｃ１４が選択されたかを示すログを取ってもよい。また、端末装置１００は、コンテンツＣ１３、Ｃ１４が表示された時間を示すログを取ってもよい。また、端末装置１００は、コンテンツＣ１３、Ｃ１４が選択されたタイミングや、コンテンツＣ１３、Ｃ１４が表示された際の動画像Ｃ１２の再生位置を示すログを取ってもよい。また、端末装置１００は、動画像Ｃ１２の再生回数、一時停止を行ったか否か、一時停止を行った位置、動画像Ｃ１２の再生を停止した位置等、動画像Ｃ１２に対する操作に関連した各種のログを取ってもよい。
【０１６０】
例えば、端末装置１００は、利用者がコンテンツＣ１３、Ｃ１４の表示が行われる前に動画像Ｃ１２の再生を終了した場合は、コンテンツＣ１３、Ｃ１４が閲覧されていない旨のログ等を取得してもよい。一方で、端末装置１００は、動画像Ｃ１２の再生中に特定領域を特定し、表示処理を実行した場合は、コンテンツＣ１３、Ｃ１４が表示された旨のログを取得してもよい。
【０１６１】
このように端末装置１００が取得したログは、コンテンツＣ１３、Ｃ１４のインプレッション数やＣＴＲの更新、コンテンツＣ１３、Ｃ１４の表示に対する課金処理、および、広告主に広告効果を報告する際等に有用なログとなる。例えば、コンテンツＣ１３、Ｃ１４が複数回表示された場合は、利用者がコンテンツＣ１３、Ｃ１４に興味を有したと予測される。また、コンテンツＣ１３、Ｃ１４が何度も選択された場合、コンテンツＣ１３、Ｃ１４が表示され続けた場合にも、利用者がコンテンツＣ１３、Ｃ１４に興味を有したと予測される。また、コンテンツＣ１３、Ｃ１４のみならず、領域Ｃ２４、Ｃ２５の選択が何度も行われた場合にも、利用者が動画像Ｃ２２に興味を有したと予測される。
【０１６２】
このため、コンテンツＣ１３、Ｃ１４の表示回数を示すログや、表示時間を示すログ、表示処理や特定処理を実行した回数を示すログ、スクロール操作やタップ操作を示すログ、コンテンツＣ１３、Ｃ１４を選択したか否かを示すログ等は、利用者の広告に対する認知度を示す指標になりえる。そこで、広告配信サーバ２０は、取得された各ログを用いて、インプレッション数の更新や、課金額の変更等を行ってもよい。例えば、広告配信サーバ２０は、コンテンツＣ１３、Ｃ１４の表示回数、表示時間、表示処理や特定処理の回数等に応じて、課金額を変更してもよい。
【０１６３】
また、端末装置１００は、利用者がコンテンツＣ１３、Ｃ１４を選択した場合は、コンテンツＣ１３、Ｃ１４が何回表示されたか、ウェブページＣ１１のうちどの範囲が表示されているか等に応じて、ランディングページを出し分けてもよい。また、端末装置１００は、同一のランディングページを取得するとともに、かかるランディングページを配信するサーバに対して、取得したログの内容等を通知し、ランディングページに配置するコンテンツを変更させてもよい。
【０１６４】
〔１０−５．端末装置の操作記録〕
また、上述してきた端末装置１００は、動画像Ｃ１２とともにコンテンツＣ１３、Ｃ１４を配信した際に、利用者がどれだけ端末装置１００を操作したかという記録を広告配信サーバ２０に送信してもよい。具体的には、端末装置１００は、コンテンツＣ１３、Ｃ１４が配信された際におけるスクロール操作の内容や回数、利用者の選択操作、利用者がコンテンツＣ１３、Ｃ１４を選択した位置、利用者の指Ｆ１０が画面に接触し続けた時間、動画像Ｃ１２を再生した回数や再生時間等を記録する。
【０１６５】
また、端末装置１００は、コンテンツＣ１３、Ｃ１４を表示させた回数、リロードした回数、コンテンツＣ１３、Ｃ１４を特定する情報について端末装置１００からの発信操作（例えば、ＳＮＳへの書き込みなど）など、利用者が端末装置１００に対して行う種々の操作を記録することもできる。そして、端末装置１００は、操作履歴に関する情報を広告配信サーバ２０に送信する。
【０１６６】
かかる場合、広告配信サーバ２０は、端末装置１００から配信された操作履歴に関する情報を集計し、かかる情報について分析した情報をさらに取得する。例えば、広告配信サーバ２０は、ウェブページＣ１１と動画像Ｃ１２を配信した際に、制御情報とともにコンテンツＣ１３、Ｃ１４を配信した場合と、配信しなかった場合とについて、スクロール操作の回数や、表示処理や特定処理を実行した回数、表示したランディングページの種別やランディングページに配置されたコンテンツの種別、ＣＴＲなどの広告効果の指標を比較した情報などを取得する。
【０１６７】
ここで、制御情報とともにコンテンツＣ１３、Ｃ１４を配信した際にウェブページＣ１１や動画像Ｃ１２に対して行われた操作の履歴は、広告効果を示す指標となりうる。すなわち、実施形態に係る制御情報を伴うコンテンツＣ１３、Ｃ１４が表示されるウェブページＣ１１や動画像Ｃ１２においては、利用者によってコンテンツＣ１３、Ｃ１４自体が選択されることによりコンテンツＣ１３、Ｃ１４の先のウェブページ（ランディングページ）が表示されることのみならず、かかるウェブページＣ１１や動画像Ｃ１２に対して利用者がどれだけ操作を行ったか（つまり、利用者がどれだけ画面の表示態様を変化させたか）という操作履歴自体が利用者のコンテンツＣ１３、Ｃ１４への興味を示す指標といえる。
【０１６８】
例えば、広告配信サーバ２０は、利用者がウェブページＣ１１をスクロールさせたか否か、動画像Ｃ１２の一時停止を行った回数や動画像Ｃ１２の再生時間を取得することで、実施形態に係る制御情報を伴うコンテンツＣ１３、Ｃ１４を表示した際に、コンテンツＣ１３、Ｃ１４が広く伝えようとする情報、すなわち広告に対する関心をどれくらい発生させたかを示す指標を提供することができる。
【０１６９】
したがって、広告配信サーバ２０は、広告主端末１０に端末装置１００の操作履歴に関する情報を送信することにより、実施形態に係るコンテンツＣ１３、Ｃ１４の広告効果の指標を示すレポートとすることができる。なお、広告配信サーバ２０は、広告主端末１０に端末装置１００の操作履歴に関する情報やログをそのまま送信してもよい。
【０１７０】
これにより、広告配信サーバ２０は、端末装置１００における実施形態に係る制御情報を伴うコンテンツＣ１３、Ｃ１４の表示態様の有用性を広告主に示すことができる。
【０１７１】
〔１０−６．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１７２】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、図７に示した取得部１５４、特定部１５５、表示部１５６は統合されてもよい。また、例えば、特定部１５５が発揮する処理は、広告配信サーバ２０等の外部のサーバや、端末装置１００から操作履歴を収集するログサーバ等により実現されてもよい。このような場合、端末装置１００は、外部のサーバやログサーバ等による特定結果に応じた位置に、コンテンツＣ１３、Ｃ１４を表示することとなる。
【０１７３】
また、上記してきた各実施形態は、処理内容を矛盾させない範囲で適宜組み合わせることが可能である。
【０１７４】
〔１０−７．プログラム〕
また、上述してきた実施形態に係る端末装置１００は、例えば図１３に示すような構成のコンピュータ１０００によって実現される。図１３は、ハードウェア構成の一例を示す図である。コンピュータ１０００は、出力装置１０１０、入力装置１０２０と接続され、演算装置１０３０、一次記憶装置１０４０、二次記憶装置１０５０、出力ＩＦ（Interface）１０６０、入力ＩＦ１０７０、ネットワークＩＦ１０８０がバス１０９０により接続された形態を有する。
【０１７５】
演算装置１０３０は、一次記憶装置１０４０や二次記憶装置１０５０に格納されたプログラムや入力装置１０２０から読み出したプログラム等に基づいて動作し、各種の処理を実行する。一時記憶装置１０４０は、ＲＡＭ等、演算装置１０３０が各種の演算に用いるデータを一次的に記憶するメモリ装置である。また、二次記憶装置１０５０は、演算装置１０３０が各種の演算に用いるデータや、各種のデータベースが登録される記憶装置であり、ＲＯＭ(Read  Only  Memory)、ＨＤＤ、フラッシュメモリ等により実現される。
【０１７６】
出力ＩＦ１０６０は、モニタやプリンタといった各種の情報を出力する出力装置１０１０に対し、出力対象となる情報を送信するためのインタフェースであり、例えば、ＵＳＢ（Universal  Serial  Bus）やＤＶＩ（Digital  Visual  Interface）、ＨＤＭＩ（登録商標）（High  Definition  Multimedia  Interface）といった規格のコネクタにより実現される。また、入力ＩＦ１０７０は、マウス、キーボード、およびスキャナ等といった各種の入力装置１０２０から情報を受信するためのインタフェースであり、例えば、ＵＳＢ等により実現される。
【０１７７】
なお、入力装置１０２０は、例えば、ＣＤ（Compact  Disc）、ＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等から情報を読み出す装置であってもよい。また、入力装置１０２０は、ＵＳＢメモリ等の外付け記憶媒体であってもよい。
【０１７８】
ネットワークＩＦ１０８０は、ネットワークＮを介して他の機器からデータを受信して演算装置１０３０へ送り、また、ネットワークＮを介して演算装置１０３０が生成したデータを他の機器へ送信する。
【０１７９】
演算装置１０３０は、出力ＩＦ１０６０や入力ＩＦ１０７０を介して、出力装置１０１０や入力装置１０２０の制御を行う。例えば、演算装置１０３０は、入力装置１０２０や二次記憶装置１０５０からプログラムを一次記憶装置１０４０上にロードし、ロードしたプログラムを実行する。
【０１８０】
例えば、コンピュータ１０００が端末装置１００として機能する場合、コンピュータ１０００の演算装置１０３０は、一次記憶装置１０４０上にロードされたプログラムを実行することにより、制御部１５０の機能を実現する。また、二次記憶装置１０５０上には、記憶部１４０内の情報、すなわち動画バッファ１４１、コンテンツデータ１４２、表示条件１４３が格納される。
【０１８１】
〔１１．効果〕
上述したように、端末装置１００は、動画像Ｃ１２のうち、所定の条件を満たす領域を特定領域として特定し、動画像Ｃ１２のうち特定領域にコンテンツＣ１３、Ｃ１４を表示する。このため、端末装置１００は、動画像Ｃ１２を閲覧する利用者に対し、動画像Ｃ１２の一部としてコンテンツＣ１３、Ｃ１４を示すことができるので、コンテンツＣ１３、Ｃ１４に対する利用者の興味を生じさせる結果、コンテンツＣ１３、Ｃ１４に係る情報の訴求効果を向上させることができる。
【０１８２】
すなわち、動画像Ｃ１２が再生される場合には、利用者が動画像Ｃ１２を注視していると予測される。このような状態で、動画像Ｃ１２とは個別にコンテンツＣ１３、Ｃ１４を表示した場合には、コンテンツＣ１３、Ｃ１４が利用者に視認されない恐れや、動画像Ｃ１２の閲覧を阻害する恐れがある。しかしながら、端末装置１００は、動画像Ｃ１２の一部としてコンテンツＣ１３、Ｃ１４を表示するので、動画像Ｃ１２の閲覧を阻害しない。この結果、端末装置１００は、コンテンツＣ１３、Ｃ１４に対する利用者の印象の悪化を防ぎつつ、コンテンツＣ１３、Ｃ１４を利用者に視認させることができる。
【０１８３】
また、端末装置１００は、動画像Ｃ１２のうち特定領域にコンテンツＣ１４を重畳し、コンテンツＣ１４の表示位置を特定領域の動きに追従させる。このように、端末装置１００は、動画像Ｃ１２を編集することなく、動画像Ｃ１２の一部として表示位置が変化するコンテンツＣ１４を表示することができる。
【０１８４】
また、端末装置１００は、動画像Ｃ１２のうち特定領域を透過させることで動画像Ｃ１２の背面に配置したコンテンツＣ１３の一部を表示し、特定領域の動きに合わせてコンテンツＣ１３のうち表示される領域を変更する。このため、端末装置１００は、動画像Ｃ１２の一部として、表示される領域が変化するコンテンツＣ１３を表示することができる。
【０１８５】
また、端末装置１００は、動画像Ｃ１２を選択できない状態で表示する。このため、端末装置１００は、動画像Ｃ１２の背面に配置されたコンテンツＣ１３を選択可能とすることができるので、コンテンツＣ１３にランディングページ等の設定を行うことができる。
【０１８６】
また、端末装置１００は、動画像Ｃ１２の前面に、所定の領域Ｃ２５が選択された際に所定のコンテンツへと遷移可能なコンテンツであって、背面に配置されたウェブページＣ２１や動画像Ｃ２２等のコンテンツを透過させる透過コンテンツＣ２３を重ねて表示する。例えば、端末装置１００は、透過コンテンツＣ２３として、特定領域と重なる領域以外の領域である領域Ｃ２５が選択された際に所定のコンテンツへと遷移可能な透過コンテンツＣ２３を表示する。
【０１８７】
このため、例えば、端末装置１００は、動画像Ｃ２２のうち、人物等が撮影された範囲、すなわち、領域Ｃ２５が重畳された領域を利用者が選択した場合には、所定のランディングページＬ０１を表示することができる。また、端末装置１００は、動画像Ｃ２２のうち、ウェブページＣ２１等背面に配置コンテンツを透過させる領域を利用者が選択した場合は、利用者が選択した位置に設定されたリンクＣ２７に対応するコンテンツを表示することができる。このように、端末装置１００は、利用者が選択したコンテンツに応じたランディングページやコンテンツを表示することができる。
【０１８８】
また、端末装置１００は、所定の条件を満たす領域として、動画像Ｃ１２から所定の色彩が付与された領域、または、所定の形状の被写体が含まれる領域の少なくともいずれか一方を特定する。このため、端末装置１００は、例えば、所定の色彩が付された背景部分や、人物等や人物が所持する物体等といった所定の被写体が含まれる領域にコンテンツＣ１３、Ｃ１４を表示することができる。
【０１８９】
また、端末装置１００は、動画像Ｃ１２やコンテンツＣ１３、Ｃ１４として、所定のウェブページまたは広告に関するコンテンツを表示する。このため、端末装置１００は、広告に係る情報の訴求効果を向上させることができる。
【０１９０】
また、端末装置１００は、特定領域の大きさに応じて、コンテンツＣ１３、Ｃ１４として表示するコンテンツを変更する。この結果、端末装置１００は、例えば、動画像Ｃ１２に含まれる所定の被写体の動きに応じて、その被写体が含まれる領域に表示されるコンテンツを切替えることができるので、コンテンツＣ１３、Ｃ１４に対する利用者の興味を生じさせる結果、コンテンツＣ１３、Ｃ１４に関する情報の訴求効果を向上させることができる。
【０１９１】
また、端末装置１００は、動画像Ｃ１２およびコンテンツＣ１３、Ｃ１４の配信を受付け、受付けた動画像Ｃ１２およびコンテンツＣ１３、Ｃ１４を表示する際に特定処理および表示処理を実行する。すなわち、上述した表示処理や特定処理や、動画像Ｃ１２の配信先となる端末装置１００側で実行される。このため、端末装置１００は、動画像Ｃ１２の配信に伴うリソースを削減するとともに、例えば、動画像Ｃ１２の配信先となる端末装置１００ごとに異なる態様でコンテンツＣ１３、Ｃ１４を表示させることができる。
【０１９２】
また、端末装置１００は、動画像Ｃ１２のうち、所定の領域にコンテンツＣ１４を重畳し、コンテンツＣ１４の表示位置を領域の動きに追従させる。このため、端末装置１００は、動画像Ｃ１２を閲覧する利用者に対し、コンテンツＣ１４に対する興味を生じさせることができる。
【０１９３】
また、端末装置１００は、動画像Ｃ１２のうち、所定の領域を透過させることで動画像Ｃ１２の背面に配置したコンテンツＣ１３の一部を表示し、領域の動きに合わせてコンテンツＣ１３のうち表示される領域を変更する。このため、端末装置１００は、動画像Ｃ１２を閲覧する利用者に対し、コンテンツＣ１３に対する興味を生じさせることができる。
【０１９４】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１９５】
また、上記してきた「部（section、module、unit）」は、「手段」や「回路」などに読み替えることができる。例えば、配信部は、配信手段や配信回路に読み替えることができる。
【符号の説明】
【０１９６】
１  配信システム
１０  広告主端末
２０  広告配信サーバ
２１、３１、１１０  通信部
２２  記憶部
２３、３３、１５０  制御部
２４  広告データベース
２５  入稿受付部
２６  要求受付部
２７  広告選択部
２８  配信部
３０  コンテンツ配信サーバ
３２  コンテンツ記憶部
３４  受付部
３５  配信部
１００  端末装置
１２０  出力部
１３０  入力部
１４０  記憶部
１５１  要求部
１５２  操作制御部
１５３  表示制御部
１５４  取得部
１５５  特定部
１５６  表示部
【図１】
2017130768.tif 000003
【図２】
2017130768.tif 000004
【図３】
2017130768.tif 000005
【図４】
2017130768.tif 000006
【図５】
2017130768.tif 000007
【図６】
2017130768.tif 000008
【図７】
2017130768.tif 000009
【図８】
2017130768.tif 000010
【図９】
2017130768.tif 000011
【図１０】
2017130768.tif 000012
【図１１】
2017130768.tif 000013
【図１２】
2017130768.tif 000014
【図１３】
2017130768.tif 000015
【手続補正書】
【提出日】平成28年11月7日(2016.11.7)
【手続補正１】
【補正対象書類名】特許請求の範囲
【補正対象項目名】全文
【補正方法】変更
【補正の内容】
【特許請求の範囲】
【請求項１】
コンピュータに、
第１コンテンツに含まれる動画像のうち、所定の条件を満たす領域を特定させる特定手順と、
前記第１コンテンツのうち前記特定手順により特定された領域に第２コンテンツを表示させ、前記第１コンテンツの前面に、所定の領域が選択された際に所定のコンテンツへと遷移可能なコンテンツであって、背面に配置されたコンテンツを透過させる第３コンテンツを重ねて表示させる表示手順と
を実行させることを特徴とする情報表示プログラム。
【請求項２】
前記表示手順は、前記第１コンテンツのうち前記特定手順により特定された領域に第２コンテンツを重畳し、当該第２コンテンツの表示位置を当該領域の動きに追従させる
処理を前記コンピュータに実行させることを特徴とする請求項１に記載の情報表示プログラム。 
【請求項３】
前記表示手順は、前記第１コンテンツのうち前記特定手順により特定された領域を透過させることで前記第１コンテンツの背面に配置した第２コンテンツの一部を表示し、当該領域の動きに合わせて前記第２コンテンツのうち表示される領域を変更させる
処理を前記コンピュータに実行させることを特徴とする請求項１または２に記載の情報表示プログラム。 
【請求項４】
前記表示手順は、前記第１コンテンツを選択できない状態で表示させる
処理を前記コンピュータに実行させることを特徴とする請求項３に記載の情報表示プログラム。 
【請求項５】
前記表示手順は、前記第３コンテンツとして、前記特定手順により特定される領域と重なる領域以外の領域が選択された際に所定のコンテンツへと遷移可能なコンテンツを表示させる
処理を前記コンピュータに実行させることを特徴とする請求項１〜４のうちいずれか１つに記載の情報表示プログラム。 
【請求項６】
前記特定手順は、前記所定の条件を満たす領域として、前記動画像から所定の色彩が付与された領域、または、所定の形状の被写体が含まれる領域の少なくともいずれか一方を特定させる
処理を前記コンピュータに実行させることを特徴とする請求項１〜５のうちいずれか１つに記載の情報表示プログラム。 
【請求項７】
前記表示手順は、前記第１コンテンツとして、所定のウェブページまたは広告に関するコンテンツを表示させる
処理を前記コンピュータに実行させることを特徴とする請求項１〜６のうちいずれか１つに記載の情報表示プログラム。 
【請求項８】
前記表示手順は、前記第２コンテンツとして、所定のウェブページまたは広告に関するコンテンツを表示させる
処理を前記コンピュータに実行させることを特徴とする請求項１〜７のうちいずれか１つに記載の情報表示プログラム。 
【請求項９】
前記表示手順は、前記特定手順により特定された領域の大きさに応じて、前記第２コンテンツとして表示するコンテンツを変更させる
処理を前記コンピュータに実行させることを特徴とする請求項１〜８のうちいずれか１つに記載の情報表示プログラム。 
【請求項１０】
前記情報表示プログラムは、前記コンピュータとして、前記第１コンテンツと前記第２コンテンツとの配信を受付ける端末装置に、前記表示手順と前記特定手順とを実行させる
ことを特徴とする請求項１〜９のうちいずれか１つに記載の情報表示プログラム。 
【請求項１１】
コンピュータに、
第１コンテンツに含まれる動画像のうち、所定の領域を特定する特定手順と、
前記第１コンテンツのうち前記特定手順により特定された領域に第２コンテンツを重畳し、前記第１コンテンツおよび前記第２コンテンツの前面に、所定の領域が選択された際に所定のコンテンツへと遷移可能なコンテンツであって、背面に配置されたコンテンツを透過させる第３コンテンツを重ねて表示させ、当該第２コンテンツの表示位置を当該領域の動きに追従させる表示手順と
を実行させることを特徴とする情報表示プログラム。 
【請求項１２】
前記表示手順は、前記第１コンテンツのうち前記特定手順により特定された領域を透過させることで前記第１コンテンツの背面に配置した第４コンテンツの一部を表示し、当該領域の動きに合わせて前記第４コンテンツのうち表示される領域を変更させる
処理を前記コンピュータに実行させることを特徴とする請求項１１に記載の情報表示プログラム。 
【請求項１３】
コンピュータに、
第１コンテンツに含まれる動画像のうち、所定の領域を特定する特定手順と、
前記第１コンテンツのうち前記特定手順により特定された領域を透過させることで前記第１コンテンツの背面に配置した第２コンテンツの一部を表示し、前記第１コンテンツの前面に、所定の領域が選択された際に所定のコンテンツへと遷移可能なコンテンツであって、背面に配置されたコンテンツを透過させる第３コンテンツを重ねて表示させ、当該領域の動きに合わせて前記第２コンテンツのうち表示される領域を変更させる表示手順と
を実行させることを特徴とする情報表示プログラム。 
【請求項１４】
前記表示手順は、前記第１コンテンツのうち前記特定手順により特定された領域に第４コンテンツを重畳し、当該第４コンテンツの表示位置を当該領域の動きに追従させる
処理を前記コンピュータに実行させることを特徴とする請求項１３に記載の情報表示プログラム。 
【請求項１５】
第１コンテンツに含まれる動画像のうち、所定の条件を満たす領域を特定する特定部と、
前記第１コンテンツのうち前記特定部により特定された領域に第２コンテンツを表示させ、前記第１コンテンツの前面に、所定の領域が選択された際に所定のコンテンツへと遷移可能なコンテンツであって、背面に配置されたコンテンツを透過させる第３コンテンツを重ねて表示させる表示部と
を有することを特徴とする情報表示装置。 
【請求項１６】
第１コンテンツに含まれる動画像のうち、所定の領域を特定する特定部と、
前記第１コンテンツのうち前記特定部により特定された領域に第２コンテンツを重畳し、前記第１コンテンツおよび前記第２コンテンツの前面に、所定の領域が選択された際に所定のコンテンツへと遷移可能なコンテンツであって、背面に配置されたコンテンツを透過させる第３コンテンツを重ねて表示させ、当該第２コンテンツの表示位置を当該領域の動きに追従させる表示部と
を有することを特徴とする情報表示装置。 
【請求項１７】
第１コンテンツに含まれる動画像のうち、所定の領域を特定する特定部と、
前記第１コンテンツのうち前記特定部により特定された領域を透過させることで前記第１コンテンツの背面に配置した第２コンテンツの一部を表示し、前記第１コンテンツの前面に、所定の領域が選択された際に所定のコンテンツへと遷移可能なコンテンツであって、背面に配置されたコンテンツを透過させる第３コンテンツを重ねて表示させ、当該領域の動きに合わせて前記第２コンテンツのうち表示される領域を変更させる表示部と
を有することを特徴とする情報表示装置。 
【請求項１８】
情報表示装置が実行する情報表示方法であって、
第１コンテンツに含まれる動画像のうち、所定の条件を満たす領域を特定する特定工程と、
前記第１コンテンツのうち前記特定工程により特定された領域に第２コンテンツを表示させ、前記第１コンテンツの前面に、所定の領域が選択された際に所定のコンテンツへと遷移可能なコンテンツであって、背面に配置されたコンテンツを透過させる第３コンテンツを重ねて表示させる表示工程と
を含むことを特徴とする情報表示方法。 
【請求項１９】
情報表示装置が実行する情報表示方法であって、
第１コンテンツに含まれる動画像のうち、所定の領域を特定する特定工程と、
前記第１コンテンツのうち前記特定工程により特定された領域に第２コンテンツを重畳し、前記第１コンテンツおよび前記第２コンテンツの前面に、所定の領域が選択された際に所定のコンテンツへと遷移可能なコンテンツであって、背面に配置されたコンテンツを透過させる第３コンテンツを重ねて表示させ、当該第２コンテンツの表示位置を当該領域の動きに追従させる表示工程と
を含むことを特徴とする情報表示方法。 
【請求項２０】
情報表示装置が実行する情報表示方法であって、
第１コンテンツに含まれる動画像のうち、所定の領域を特定する特定工程と、
前記第１コンテンツのうち前記特定工程により特定された領域を透過させることで前記第１コンテンツの背面に配置した第２コンテンツの一部を表示し、前記第１コンテンツの前面に、所定の領域が選択された際に所定のコンテンツへと遷移可能なコンテンツであって、背面に配置されたコンテンツを透過させる第３コンテンツを重ねて表示させ、当該領域の動きに合わせて前記第２コンテンツのうち表示される領域を変更させる表示工程と
を含むことを特徴とする情報表示方法。 
【請求項２１】
第１コンテンツを表示する端末装置に制御情報を配信する配信部を備え、
前記制御情報は、
前記第１コンテンツに含まれる動画像のうち、所定の条件を満たす領域を特定する特定手順と、
前記第１コンテンツのうち前記特定手順により特定された領域に第２コンテンツを表示させ、前記第１コンテンツの前面に、所定の領域が選択された際に所定のコンテンツへと遷移可能なコンテンツであって、背面に配置されたコンテンツを透過させる第３コンテンツを重ねて表示させる表示手順と
を前記端末装置に実行させることを特徴とする配信装置。 
【請求項２２】
第１コンテンツを表示する端末装置に制御情報を配信する配信部を備え、
前記制御情報は、
前記第１コンテンツに含まれる動画像のうち、所定の領域を特定する特定手順と、
前記第１コンテンツのうち前記特定手順により特定された領域に第２コンテンツを重畳し、前記第１コンテンツおよび前記第２コンテンツの前面に、所定の領域が選択された際に所定のコンテンツへと遷移可能なコンテンツであって、背面に配置されたコンテンツを透過させる第３コンテンツを重ねて表示させ、当該第２コンテンツの表示位置を当該領域の動きに追従させる表示手順と
を前記端末装置に実行させることを特徴とする配信装置。 
【請求項２３】
第１コンテンツを表示する端末装置に制御情報を配信する配信部を備え、
前記制御情報は、
第１コンテンツに含まれる動画像のうち、所定の領域を特定する特定手順と、
前記第１コンテンツのうち前記特定手順により特定された領域を透過させることで前記第１コンテンツの背面に配置した第２コンテンツの一部を表示し、前記第１コンテンツの前面に、所定の領域が選択された際に所定のコンテンツへと遷移可能なコンテンツであって、背面に配置されたコンテンツを透過させる第３コンテンツを重ねて表示させ、当該領域の動きに合わせて前記第２コンテンツのうち表示される領域を変更させる表示手順と
を前記端末装置に実行させることを特徴とする配信装置。
【手続補正書】
【提出日】平成29年4月14日(2017.4.14)
【手続補正１】
【補正対象書類名】特許請求の範囲
【補正対象項目名】全文
【補正方法】変更
【補正の内容】
【特許請求の範囲】
【請求項１】
コンピュータに、
第１コンテンツに含まれる動画像のうち、所定の領域を特定する特定手順と、
前記第１コンテンツのうち前記特定手順により特定された領域を透過させることで前記第１コンテンツの背面に配置した第２コンテンツの一部を表示し、前記第１コンテンツの前面に、所定の領域が選択された際に所定のコンテンツへと遷移可能なコンテンツであって、背面に配置されたコンテンツを透過させる第３コンテンツを重ねて表示させ、当該領域の動きに合わせて前記第２コンテンツのうち表示される領域を変更させる表示手順と
を実行させることを特徴とする情報表示プログラム。
【請求項２】
前記表示手順は、前記第１コンテンツのうち前記特定手順により特定された領域に第４コンテンツを重畳し、当該第４コンテンツの表示位置を当該領域の動きに追従させる
処理を前記コンピュータに実行させることを特徴とする請求項１に記載の情報表示プログラム。
【請求項３】
コンピュータに、
第１コンテンツに含まれる動画像のうち、所定の領域を特定させる特定手順と、
前記第１コンテンツのうち前記特定手順により特定された領域に第２コンテンツを表示させ、前記第１コンテンツの前面に、前記特定手順により特定される領域と重なる領域以外の領域が選択された際に所定のコンテンツへと遷移可能なコンテンツであって、背面に配置されたコンテンツを透過させる第３コンテンツを重ねて表示させる表示手順と
を実行させることを特徴とする情報表示プログラム。
【請求項４】
コンピュータに、
第１コンテンツに含まれる動画像のうち、所定の領域を特定する特定手順と、
前記第１コンテンツのうち前記特定手順により特定された領域に第２コンテンツを重畳し、前記第１コンテンツおよび前記第２コンテンツの前面に、所定の領域が選択された際に所定のコンテンツへと遷移可能なコンテンツであって、背面に配置されたコンテンツを透過させる第３コンテンツを重ねて表示させ、当該第２コンテンツの表示位置を当該領域の動きに追従させ、前記特定手順により特定された領域を透過させることで前記第１コンテンツの背面に配置した第４コンテンツの一部を表示し、当該領域の動きに合わせて前記第４コンテンツのうち表示される領域を変更させる表示手順と
を実行させることを特徴とする情報表示プログラム。
【請求項５】
前記表示手順は、前記第１コンテンツを選択できない状態で表示させる
処理を前記コンピュータに実行させることを特徴とする請求項１〜４のうちいずれか１つに記載の情報表示プログラム。
【請求項６】
前記特定手順は、前記所定の領域として、前記動画像から所定の色彩が付与された領域、または、所定の形状の被写体が含まれる領域の少なくともいずれか一方を特定させる
処理を前記コンピュータに実行させることを特徴とする請求項１〜５のうちいずれか１つに記載の情報表示プログラム。
【請求項７】
前記表示手順は、前記第１コンテンツとして、所定のウェブページまたは広告に関するコンテンツを表示させる
処理を前記コンピュータに実行させることを特徴とする請求項１〜６のうちいずれか１つに記載の情報表示プログラム。
【請求項８】
前記表示手順は、前記第２コンテンツとして、所定のウェブページまたは広告に関するコンテンツを表示させる
処理を前記コンピュータに実行させることを特徴とする請求項１〜７のうちいずれか１つに記載の情報表示プログラム。
【請求項９】
前記表示手順は、前記特定手順により特定された領域の大きさに応じて、前記第２コンテンツとして表示するコンテンツを変更させる
処理を前記コンピュータに実行させることを特徴とする請求項１〜８のうちいずれか１つに記載の情報表示プログラム。
【請求項１０】
前記情報表示プログラムは、前記コンピュータとして、前記第１コンテンツと前記第２コンテンツとの配信を受付ける端末装置に、前記表示手順と前記特定手順とを実行させる
ことを特徴とする請求項１〜９のうちいずれか１つに記載の情報表示プログラム。
【請求項１１】
第１コンテンツに含まれる動画像のうち、所定の領域を特定する特定部と、
前記第１コンテンツのうち前記特定部により特定された領域を透過させることで前記第１コンテンツの背面に配置した第２コンテンツの一部を表示し、前記第１コンテンツの前面に、所定の領域が選択された際に所定のコンテンツへと遷移可能なコンテンツであって、背面に配置されたコンテンツを透過させる第３コンテンツを重ねて表示させ、当該領域の動きに合わせて前記第２コンテンツのうち表示される領域を変更させる表示部と
を有することを特徴とする情報表示装置。
【請求項１２】
第１コンテンツに含まれる動画像のうち、所定の領域を特定させる特定部と、
前記第１コンテンツのうち前記特定部により特定された領域に第２コンテンツを表示させ、前記第１コンテンツの前面に、前記特定部により特定される領域と重なる領域以外の領域が選択された際に所定のコンテンツへと遷移可能なコンテンツであって、背面に配置されたコンテンツを透過させる第３コンテンツを重ねて表示させる表示部と
を有することを特徴とする情報表示装置。
【請求項１３】
第１コンテンツに含まれる動画像のうち、所定の領域を特定する特定部と、
前記第１コンテンツのうち前記特定部により特定された領域に第２コンテンツを重畳し、前記第１コンテンツおよび前記第２コンテンツの前面に、所定の領域が選択された際に所定のコンテンツへと遷移可能なコンテンツであって、背面に配置されたコンテンツを透過させる第３コンテンツを重ねて表示させ、当該第２コンテンツの表示位置を当該領域の動きに追従させ、前記特定部により特定された領域を透過させることで前記第１コンテンツの背面に配置した第４コンテンツの一部を表示し、当該領域の動きに合わせて前記第４コンテンツのうち表示される領域を変更させる表示部と
を有することを特徴とする情報表示装置。
【請求項１４】
情報表示装置が実行する情報表示方法であって、
第１コンテンツに含まれる動画像のうち、所定の領域を特定する特定工程と、
前記第１コンテンツのうち前記特定工程により特定された領域を透過させることで前記第１コンテンツの背面に配置した第２コンテンツの一部を表示し、前記第１コンテンツの前面に、所定の領域が選択された際に所定のコンテンツへと遷移可能なコンテンツであって、背面に配置されたコンテンツを透過させる第３コンテンツを重ねて表示させ、当該領域の動きに合わせて前記第２コンテンツのうち表示される領域を変更させる表示工程と
を含むことを特徴とする情報表示方法。
【請求項１５】
情報表示装置が実行する情報表示方法であって、
第１コンテンツに含まれる動画像のうち、所定の領域を特定させる特定工程と、
前記第１コンテンツのうち前記特定工程により特定された領域に第２コンテンツを表示させ、前記第１コンテンツの前面に、前記特定工程により特定される領域と重なる領域以外の領域が選択された際に所定のコンテンツへと遷移可能なコンテンツであって、背面に配置されたコンテンツを透過させる第３コンテンツを重ねて表示させる表示工程と
を含むことを特徴とする情報表示方法。
【請求項１６】
情報表示装置が実行する情報表示方法であって、
第１コンテンツに含まれる動画像のうち、所定の領域を特定する特定工程と、
前記第１コンテンツのうち前記特定工程により特定された領域に第２コンテンツを重畳し、前記第１コンテンツおよび前記第２コンテンツの前面に、所定の領域が選択された際に所定のコンテンツへと遷移可能なコンテンツであって、背面に配置されたコンテンツを透過させる第３コンテンツを重ねて表示させ、当該第２コンテンツの表示位置を当該領域の動きに追従させ、前記特定工程により特定された領域を透過させることで前記第１コンテンツの背面に配置した第４コンテンツの一部を表示し、当該領域の動きに合わせて前記第４コンテンツのうち表示される領域を変更させる表示工程と
を含むことを特徴とする情報表示方法。
【請求項１７】
第１コンテンツを表示する端末装置に制御情報を配信する配信部を備え、
前記制御情報は、
第１コンテンツに含まれる動画像のうち、所定の領域を特定する特定手順と、
前記第１コンテンツのうち前記特定手順により特定された領域を透過させることで前記第１コンテンツの背面に配置した第２コンテンツの一部を表示し、前記第１コンテンツの前面に、所定の領域が選択された際に所定のコンテンツへと遷移可能なコンテンツであって、背面に配置されたコンテンツを透過させる第３コンテンツを重ねて表示させ、当該領域の動きに合わせて前記第２コンテンツのうち表示される領域を変更させる表示手順と
を前記端末装置に実行させることを特徴とする配信装置。
【請求項１８】
第１コンテンツを表示する端末装置に制御情報を配信する配信部を備え、
前記制御情報は、
第１コンテンツに含まれる動画像のうち、所定の領域を特定させる特定手順と、
前記第１コンテンツのうち前記特定手順により特定された領域に第２コンテンツを表示させ、前記第１コンテンツの前面に、前記特定手順により特定される領域と重なる領域以外の領域が選択された際に所定のコンテンツへと遷移可能なコンテンツであって、背面に配置されたコンテンツを透過させる第３コンテンツを重ねて表示させる表示手順と
を前記端末装置に実行させることを特徴とする配信装置。
【請求項１９】
第１コンテンツを表示する端末装置に制御情報を配信する配信部を備え、
前記制御情報は、
第１コンテンツに含まれる動画像のうち、所定の領域を特定する特定手順と、
前記第１コンテンツのうち前記特定手順により特定された領域に第２コンテンツを重畳し、前記第１コンテンツおよび前記第２コンテンツの前面に、所定の領域が選択された際に所定のコンテンツへと遷移可能なコンテンツであって、背面に配置されたコンテンツを透過させる第３コンテンツを重ねて表示させ、当該第２コンテンツの表示位置を当該領域の動きに追従させ、前記特定手順により特定された領域を透過させることで前記第１コンテンツの背面に配置した第４コンテンツの一部を表示し、当該領域の動きに合わせて前記第４コンテンツのうち表示される領域を変更させる表示手順と
を前記端末装置に実行させることを特徴とする配信装置。